【事件の表示】
　特許第５９７８２８８号発明「ポリイミド前駆体、ポリイミド、ポリイミドフィルム、ワニス、及び基板」の特許異議申立事件について、次のとおり決定する。
【結　論】
　特許第５９７８２８８号の特許請求の範囲を訂正請求書に添付された訂正特許請求の範囲のとおり、訂正後の請求項〔１ないし３０〕について訂正することを認める。
　特許第５９７８２８８号の請求項１ないし３０に係る特許を維持する。
【理　由】
第１　手続の経緯
　特許第５９７８２８８号（以下、「本件特許」という。）の請求項１ないし３０に係る特許についての出願は、２０１３年９月１３日（優先権主張　平成２４年９月１８日、平成２５年３月１５日及び同年６月２８日）を国際出願日とする特許出願であって、平成２８年７月２９日にその特許権の設定登録（登録時の請求項数３０）がされ、同年８月２４日に特許公報が発行され、平成２９年２月２４日に、特許異議申立人　堀江　玲子（以下、「特許異議申立人」という。）により特許異議の申立てがされ、同年４月１７日付けで取消理由が通知され、同年６月２０日に特許権者　宇部興産株式会社（以下、「特許権者」という。）から意見書の提出及び訂正の請求がされ、同年６月２６日付けで特許異議申立人に対して訂正の請求があった旨の通知（特許法第１２０条の５第５項）がされ、同年７月２８日に特許異議申立人から意見書が提出され、同年９月６日付けで取消理由（決定の予告）が通知され、同年１１月１０日に特許権者から意見書の提出及び訂正の請求（以下、「本件訂正の請求」という。）がされ、同年１１月１４日付けで特許異議申立人に対して本件訂正の請求があった旨の通知（特許法第１２０条の５第５項）がされ、同年１２月１８日に特許異議申立人から意見書が提出されたものである。
　なお、平成２９年６月２０日にされた訂正の請求は、特許法第１２０条の５第７項の規定により取り下げられたものとみなす。
第２　訂正の適否について
１　訂正の内容
　本件訂正の請求による訂正の内容は、次のとおりである。なお、下線は訂正箇所を示すものであるが、化学式には下線は付していない。
（１）訂正事項１
　特許請求の範囲の請求項１に、
　「化学式（１）で表される繰り返し単位の合計含有量が、全繰り返し単位に対して、５０モル％以上であることを特徴とするポリイミド前駆体。
【化１】
（式中、Ａ１は芳香族ジアミンまたは脂肪族ジアミンからアミノ基を除いた２価の基であり、Ｘ１、Ｙ１はそれぞれ独立に水素、炭素数１〜６のアルキル基、または炭素数３〜９のアルキルシリル基である。）」
とあるのを、
「化学式（１）で表される繰り返し単位の合計含有量が、全繰り返し単位に対して、５０モル％以上であ
り、
　
Ａ
１
が下記化学式（２）で表されるものである下記化学式（１）の繰り返し単位を少なくとも２種含み、そのうちの１種が、Ａ
１
がｍ
１
およびｎ１が０である下記化学式（２）で表されるものである下記化学式（１）の繰り返し単位であり、
　
さらに、Ａ
１
が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（１）の繰り返し単位１種以上を、化学式（１）で表される全繰り返し単位中、２０モル％未満の割合で含む
　　【化１】
（式中、Ａ１は芳香族ジアミンまたは脂肪族ジアミンからアミノ基を除いた２価の基であり、Ｘ１、Ｙ１はそれぞれ独立に水素、炭素数１〜６のアルキル基、または炭素数３〜９のアルキルシリル基である。）
　　【化２−１】
（式中、ｍ
１
及びｎ
１
は０以上の整数であって、ｍ
１
は０〜３を、ｎ
１
は０〜３をそれぞれ独立に示す。Ｖ
１
、Ｕ
１
、Ｔ
１
はそれぞれ独立に水素原子、メチル基、トリフルオロメチル基よりなる群から選択される１種を示し、Ｚ
１
、Ｗ
１
はそれぞれ独立に直接結合、または　式：−ＮＨＣＯ−、−ＣＯＮＨ−、−ＣＯＯ−、−ＯＣＯ−で表される基よりなる群から選択される１種を示す。）
に訂正する。
（２）訂正事項２
　特許請求の範囲の請求項２に、
「Ａ１が下記化学式（２）で表されるものである前記化学式（１）の繰り返し単位を少なくとも１種含むことを特徴とする請求項１に記載のポリイミド前駆体。
　　【化２】
（式中、ｍ１及びｎ１は０以上の整数であって、ｍ１は０〜３を、ｎ１は０〜３をそれぞれ独立に示す。Ｖ１、Ｕ１、Ｔ１はそれぞれ独立に水素原子、メチル基、トリフルオロメチル基よりなる群から選択される１種を示し、Ｚ１、Ｗ１はそれぞれ独立に直接結合、または　式：−ＮＨＣＯ−、−ＣＯＮＨ−、−ＣＯＯ−、−ＯＣＯ−で表される基よりなる群から選択される１種を示す。）」
とあるのを、
「
下記化学式（１）で表される繰り返し単位を少なくとも１種含むポリイミド前駆体であって、
　
化学式（１）で表される繰り返し単位の合計含有量が、全繰り返し単位に対して、５０モル％以上であり、
　Ａ１が下記化学式（２）で表されるものである
下記
２種
るポ
　　【化１−１】
（式中、Ａ
１
は芳香族ジアミンまたは脂肪族ジアミンからアミノ基を除いた２価の基であり、Ｘ
１
、Ｙ
１
はそれぞれ独立に水素、炭素数１〜６のアルキル基、または炭素数３〜９のアルキルシリル基である。）
　　【化２】
（式中、ｍ１及びｎ１は０以上の整数であって、ｍ１は０〜３を、ｎ１は０〜３をそれぞれ独立に示す
（但し、ｍ
１
及びｎ
１
が共に０である場合は除く。）
に訂正する。
（３）訂正事項３
　特許請求の範囲の請求項３に、
「Ａ１が前記化学式（２）で表されるものである前記化学式（１）の繰り返し単位を少なくとも２種含むことを特徴とする」
とあるのを、
「Ａ１が前記化学式（２）で表されるものである前記化学式（１）の繰り返し単位を少なくとも２種含
み、そのうちの１種が、Ａ
１
が、ｍ
１
および／またはｎ
１
が１〜３であり、Ｚ
１
および／またはＷ
１
が、それぞれ独立に、−ＮＨＣＯ−、−ＣＯＮＨ−、−ＣＯＯ−、または−ＯＣＯ−のいずれかである前記化学式（２）の構造である前記化学式（１）の繰り返し単位（１−１）である
に訂正する。
（４）訂正事項４
　特許請求の範囲の請求項４に、
「（ｉｉ）Ａ１が、ｍ１およびｎ１が０である前記化学式（２）の構造であるか、または、ｍ１および／またはｎ１が１〜３であり、Ｚ１およびＷ１が直接結合である前記化学式（２）の構造である前記化学式（１）の繰り返し単位（１−２）を少なくとも１種含むことを特徴とする」
とあるのを、
「（ｉｉ）Ａ１が
、ｍ
１
に訂正する。
（５）訂正事項５
　特許請求の範囲の請求項５に、
「前記繰り返し単位（１−１）が、Ａ１が下記化学式（Ｄ−１）〜（Ｄ−３）のいずれかで表されるものである前記化学式（１）の繰り返し単位であり、
　前記繰り返し単位（１−２）が、Ａ１が下記化学式（Ｄ−４）〜（Ｄ−６）のいずれかで表されるものである前記化学式（１）の繰り返し単位であることを特徴とする請求項４に記載のポリイミド前駆体。」
とあるのを、
「
下記化学式（１）で表される繰り返し単位を少なくとも１種含むポリイミド前駆体であって、
　
化学式（１）で表される繰り返し単位の合計含有量が、全繰り返し単位に対して、５０モル％以上であり、
　
繰
として
下記
を少なくとも１種含み
　
繰
として
下記
を少なくとも１種含む
るポ
　　
【化１−２】
（式中、Ａ
１
は芳香族ジアミンまたは脂肪族ジアミンからアミノ基を除いた２価の基であり、Ｘ
１
、Ｙ
１
はそれぞれ独立に水素、炭素数１〜６のアルキル基、または炭素数３〜９のアルキルシリル基である。）
に訂正する。
（６）訂正事項６
　特許請求の範囲の請求項６に、
「化学式（３）で表される繰り返し単位の合計含有量が、全繰り返し単位に対して、３０モル％以上であることを特徴とするポリイミド前駆体。
　　【化５】
（式中、Ａ２は芳香族ジアミンまたは脂肪族ジアミンからアミノ基を除いた２価の基であり、Ｘ２、Ｙ２はそれぞれ独立に水素、炭素数１〜６のアルキル基、または炭素数３〜９のアルキルシリル基である。）」
とあるのを、
「化学式（３）で表される繰り返し単位の合計含有量が、全繰り返し単位に対して、３０モル％以上であ
り、
　
Ａ
２
が下記化学式（４）で表されるものである下記化学式（３）の繰り返し単位を少なくとも２種含み、そのうちの１種が、Ａ
２
がｍ
２
およびｎ
２
が０である下記化学式（４）で表されるものである下記化学式（３）の繰り返し単位であり、
　
さらに、Ａ
２
が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（３）の繰り返し単位１種以上を、化学式（３）で表される全繰り返し単位中、２０モル％未満の割合で含む
　　【化５】
（式中、Ａ２は芳香族ジアミンまたは脂肪族ジアミンからアミノ基を除いた２価の基であり、Ｘ２、Ｙ２はそれぞれ独立に水素、炭素数１〜６のアルキル基、または炭素数３〜９のアルキルシリル基である。）
　　【化６−１】
（式中、ｍ
２
及びｎ
２
は０以上の整数であって、ｍ
２
は０〜３を、ｎ
２
は０〜３をそれぞれ独立に示す。Ｖ
２
、Ｕ
２
、Ｔ
２
はそれぞれ独立に水素原子、メチル基、トリフルオロメチル基よりなる群から選択される１種を示し、Ｚ
２
、Ｗ
２
はそれぞれ独立に直接結合、または　式：−ＮＨＣＯ−、−ＣＯＮＨ−、−ＣＯＯ−、−ＯＣＯ−で表される基よりなる群から選択される１種を示す。）
に訂正する。
（７）訂正事項７
　特許請求の範囲の請求項７に、
「Ａ２が下記化学式（４）で表されるものである前記化学式（３）の繰り返し単位を少なくとも１種含むことを特徴とする請求項６に記載のポリイミド前駆体。
　　【化６】
（式中、ｍ２及びｎ２は０以上の整数であって、ｍ２は０〜３を、ｎ２は０〜３をそれぞれ独立に示す。Ｖ２、Ｕ２、Ｔ２はそれぞれ独立に水素原子、メチル基、トリフルオロメチル基よりなる群から選択される１種を示し、Ｚ２、Ｗ２はそれぞれ独立に直接結合、または　式：−ＮＨＣＯ−、−ＣＯＮＨ−、−ＣＯＯ−、−ＯＣＯ−で表される基よりなる群から選択される１種を示す。）」
とあるのを、
「
下記化学式（３）で表される繰り返し単位を少なくとも１種含むポリイミド前駆体であって、
　
化学式（３）で表される繰り返し単位の合計含有量が、全繰り返し単位に対して、３０モル％以上であり、
　Ａ２が下記化学式（４）で表されるものである
下記
２種
るポ
　　【化５−１】
（式中、Ａ
２
は芳香族ジアミンまたは脂肪族ジアミンからアミノ基を除いた２価の基であり、Ｘ
２
、Ｙ
２
はそれぞれ独立に水素、炭素数１〜６のアルキル基、または炭素数３〜９のアルキルシリル基である。）
　　【化６】
（式中、ｍ２及びｎ２は０以上の整数であって、ｍ２は０〜３を、ｎ２は０〜３をそれぞれ独立に示す
（但し、ｍ
２
及びｎ
２
が共に０である場合は除く。）
に訂正する。
（８）訂正事項８
　特許請求の範囲の請求項８に、
「Ａ２が前記化学式（４）で表されるものである前記化学式（３）の繰り返し単位を少なくとも２種含むことを特徴とする」
とあるのを、
「Ａ２が前記化学式（４）で表されるものである前記化学式（３）の繰り返し単位を少なくとも２種含
み、そのうちの１種が、Ａ
２
が、ｍ
２
および／またはｎ
２
が１〜３であり、Ｚ
２
および／またはＷ
２
が、それぞれ独立に、−ＮＨＣＯ−、−ＣＯＮＨ−、−ＣＯＯ−、または−ＯＣＯ−のいずれかである前記化学式（４）の構造である前記化学式（３）の繰り返し単位（３−１）である
に訂正する。
（９）訂正事項９
　特許請求の範囲の請求項９に、
「（ｉｉ）Ａ２が、ｍ２およびｎ２が０である前記化学式（４）の構造であるか、または、ｍ２および／またはｎ２が１〜３であり、Ｚ２およびＷ２が直接結合である前記化学式（４）の構造である前記化学式（３）の繰り返し単位（３−２）を少なくとも１種含むことを特徴とする」
とあるのを、
「（ｉｉ）Ａ２が
、ｍ
２
に訂正する。
（１０）訂正事項１０
　特許請求の範囲の請求項１０に、
「前記繰り返し単位（３−１）が、Ａ２が下記化学式（Ｄ−１）〜（Ｄ−３）のいずれかで表されるものである前記化学式（３）の繰り返し単位であり、
　前記繰り返し単位（３−２）が、Ａ２が下記化学式（Ｄ−４）〜（Ｄ−６）のいずれかで表されるものである前記化学式（３）の繰り返し単位であることを特徴とする請求項９に記載のポリイミド前駆体。」
とあるのを、
「
下記化学式（３）で表される繰り返し単位を少なくとも１種含むポリイミド前駆体であって、
　
化学式（３）で表される繰り返し単位の合計含有量が、全繰り返し単位に対して、３０モル％以上であり、
　
繰
として
下記
を少なくとも１種含み
　
繰
として
下記
を少なくとも１種含む
るポ
　　【化５−２】
（式中、Ａ
２
は芳香族ジアミンまたは脂肪族ジアミンからアミノ基を除いた２価の基であり、Ｘ
２
、Ｙ
２
はそれぞれ独立に水素、炭素数１〜６のアルキル基、または炭素数３〜９のアルキルシリル基である。）
に訂正する。
（１１）訂正事項１１
　特許請求の範囲の請求項１１に、
「化学式（５）及び化学式（６）で表される繰り返し単位の合計含有量が、全繰り返し単位に対して、８０モル％以上であることを特徴とするポリイミド前駆体。
　　【化９】
（式中、Ａ３は芳香族ジアミンまたは脂肪族ジアミンからアミノ基を除いた２価の基であり、Ｘ３、Ｙ３はそれぞれ独立に水素、炭素数１〜６のアルキル基、または炭素数３〜９のアルキルシリル基である。）
　　【化１０】
（式中、Ａ３は芳香族ジアミンまたは脂肪族ジアミンからアミノ基を除いた２価の基であり、Ｘ４、Ｙ４はそれぞれ独立に水素、炭素数１〜６のアルキル基、または炭素数３〜９のアルキルシリル基である。）」
とあるのを、
「化学式（５）及び化学式（６）で表される繰り返し単位の合計含有量が、全繰り返し単位に対して、８０モル％以上であ
り、
　
Ａ
３
が下記化学式（７）で表されるものである下記化学式（５）または下記化学式（６）の繰り返し単位を少なくとも２種含み、そのうちの１種が、Ａ
３
がｍ
３
およびｎ
３
が０である下記化学式（７）で表されるものである下記化学式（５）または下記化学式（６）の繰り返し単位であり、
　
さらに、Ａ
３
が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（５）または下記化学式（６）の繰り返し単位１種以上を、化学式（５）及び化学式（６）で表される全繰り返し単位中、２０モル％未満の割合で含む
　　【化９】
（式中、Ａ３は芳香族ジアミンまたは脂肪族ジアミンからアミノ基を除いた２価の基であり、Ｘ３、Ｙ３はそれぞれ独立に水素、炭素数１〜６のアルキル基、または炭素数３〜９のアルキルシリル基である。）
　　【化１０】
（式中、Ａ３は芳香族ジアミンまたは脂肪族ジアミンからアミノ基を除いた２価の基であり、Ｘ４、Ｙ４はそれぞれ独立に水素、炭素数１〜６のアルキル基、または炭素数３〜９のアルキルシリル基である。）
　　【化１１−１】
（式中、ｍ
３
及びｎ
３
は０以上の整数であって、ｍ
３
は０〜３を、ｎ
３
は０〜３をそれぞれ独立に示す。Ｖ
３
、Ｕ
３
、Ｔ
３
はそれぞれ独立に水素原子、メチル基、トリフルオロメチル基よりなる群から選択される１種を示し、Ｚ
３
、Ｗ
３
はそれぞれ独立に直接結合、または　式：−ＮＨＣＯ−、−ＣＯＮＨ−、−ＣＯＯ−、−ＯＣＯ−で表される基よりなる群から選択される１種を示す。）
に訂正する。
（１２）訂正事項１２
　特許請求の範囲の請求項１２に、
「Ａ３が下記化学式（７）で表されるものである前記化学式（５）の繰り返し単位を少なくとも１種、および／または、Ａ３が下記化学式（７）で表されるものである前記化学式（６）の繰り返し単位を少なくとも１種含むことを特徴とする請求項１１に記載のポリイミド前駆体。
　　【化１１】
（式中、ｍ３及びｎ３は０以上の整数であって、ｍ３は０〜３を、ｎ３は０〜３をそれぞれ独立に示す。Ｖ３、Ｕ３、Ｔ３はそれぞれ独立に水素原子、メチル基、トリフルオロメチル基よりなる群から選択される１種を示し、Ｚ３、Ｗ３はそれぞれ独立に直接結合、または　式：−ＮＨＣＯ−、−ＣＯＮＨ−、−ＣＯＯ−、−ＯＣＯ−で表される基よりなる群から選択される１種を示す。）」
とあるのを、
「
下記化学式（５）及び下記化学式（６）で表される繰り返し単位を少なくとも１種含むポリイミド前駆体であって、
　
化学式（５）及び化学式（６）で表される繰り返し単位の合計含有量が、全繰り返し単位に対して、８０モル％以上であり、
　Ａ３が下記化学式（７）で表されるものである
下記
）ま
は下記
２種
るポ
　　【化９−１】
（式中、Ａ
３
は芳香族ジアミンまたは脂肪族ジアミンからアミノ基を除いた２価の基であり、Ｘ
３
、Ｙ
３
はそれぞれ独立に水素、炭素数１〜６のアルキル基、または炭素数３〜９のアルキルシリル基である。）
　　【化１０−１】
（式中、Ａ
３
は芳香族ジアミンまたは脂肪族ジアミンからアミノ基を除いた２価の基であり、Ｘ
４
、Ｙ
４
はそれぞれ独立に水素、炭素数１〜６のアルキル基、または炭素数３〜９のアルキルシリル基である。）
　　【化１１】
（式中、ｍ３及びｎ３は０以上の整数であって、ｍ３は０〜３を、ｎ３は０〜３をそれぞれ独立に示す
（但し、ｍ
３
及びｎ
３
が共に０である場合は除く。）
に訂正する。
（１３）訂正事項１３
　特許請求の範囲の請求項１３に、
「Ａ３が前記化学式（７）で表されるものである前記化学式（５）または前記化学式（６）の繰り返し単位を少なくとも２種含むことを特徴とする」
とあるのを、
「Ａ３が前記化学式（７）で表されるものである前記化学式（５）または前記化学式（６）の繰り返し単位を少なくとも２種含
み、そのうちの１種が、Ａ
３
が、ｍ
３
および／またはｎ
３
が１〜３であり、Ｚ
３
および／またはＷ
３
が、それぞれ独立に、−ＮＨＣＯ−、−ＣＯＮＨ−、−ＣＯＯ−、または−ＯＣＯ−のいずれかである前記化学式（７）の構造である前記化学式（５）または（６）の繰り返し単位（５−１）である
に訂正する。
（１４）訂正事項１４
　特許請求の範囲の請求項１４に、
「（ｉｉ）Ａ３が、ｍ３およびｎ３が０である前記化学式（７）の構造であるか、または、ｍ３および／またはｎ３が１〜３であり、Ｚ３およびＷ３が直接結合である前記化学式（７）の構造である前記化学式（５）または（６）の繰り返し単位（５−２）を少なくとも１種含むことを特徴とする」
とあるのを、
「（ｉｉ）Ａ３が
、ｍ
３
に訂正する。
（１５）訂正事項１５
　特許請求の範囲の請求項１５に、
「前記繰り返し単位（５−１）が、Ａ３が下記化学式（Ｄ−１）〜（Ｄ−３）のいずれかで表されるものである前記化学式（５）または（６）の繰り返し単位であり、
　前記繰り返し単位（５−２）が、Ａ３が下記化学式（Ｄ−４）〜（Ｄ−６）のいずれかで表されるものである前記化学式（５）または（６）の繰り返し単位であることを特徴とする請求項１４に記載のポリイミド前駆体。」
とあるのを、
「
下記化学式（５）及び下記化学式（６）で表される繰り返し単位を少なくとも１種含むポリイミド前駆体であって、
　
化学式（５）及び化学式（６）で表される繰り返し単位の合計含有量が、全繰り返し単位に対して、８０モル％以上であり、
　
繰
として
下記
を少なくとも１種含み
　
繰
として
下記
を少なくとも１種含む
るポ
　　【化９−２】
（式中、Ａ
３
は芳香族ジアミンまたは脂肪族ジアミンからアミノ基を除いた２価の基であり、Ｘ
３
、Ｙ
３
はそれぞれ独立に水素、炭素数１〜６のアルキル基、または炭素数３〜９のアルキルシリル基である。）
　　【化１０−２】
（式中、Ａ
３
は芳香族ジアミンまたは脂肪族ジアミンからアミノ基を除いた２価の基であり、Ｘ
４
、Ｙ
４
はそれぞれ独立に水素、炭素数１〜６のアルキル基、または炭素数３〜９のアルキルシリル基である。）
に訂正する。
（１６）訂正事項１６
　特許請求の範囲の請求項１７に、
「化学式（８）で表される繰り返し単位の合計含有量が、全繰り返し単位に対して、５０モル％以上であることを特徴とするポリイミド。
　　【化１４】
（式中、Ｂ１は芳香族ジアミンまたは脂肪族ジアミンからアミノ基を除いた２価の基である。）」
とあるのを、
「化学式（８）で表される繰り返し単位の合計含有量が、全繰り返し単位に対して、５０モル％以上であ
り、
　
Ｂ
１
が下記化学式（９）で表されるものである下記化学式（８）の繰り返し単位を少なくとも２種含み、そのうちの１種が、Ｂ
１
がｍ
４
およびｎ
４
が０である下記化学式（９）で表されるものである下記化学式（８）の繰り返し単位であり、
　
さらに、Ｂ
１
が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（８）の繰り返し単位１種以上を、化学式（８）で表される全繰り返し単位中、２０モル％未満の割合で含む
　　【化１４】
（式中、Ｂ１は芳香族ジアミンまたは脂肪族ジアミンからアミノ基を除いた２価の基である。）
　　【化１５−１】
（式中、ｍ
４
及びｎ
４
は０以上の整数であって、ｍ
４
は０〜３を、ｎ
４
は０〜３をそれぞれ独立に示す。Ｖ
４
、Ｕ
４
、Ｔ
４
はそれぞれ独立に水素原子、メチル基、トリフルオロメチル基よりなる群から選択される１種を示し、Ｚ
４
、Ｗ
４
はそれぞれ独立に直接結合、または　式：−ＮＨＣＯ−、−ＣＯＮＨ−、−ＣＯＯ−、−ＯＣＯ−で表される基よりなる群から選択される１種を示す。）
に訂正する。
（１７）訂正事項１７
　特許請求の範囲の請求項１８に、
「Ｂ１が下記化学式（９）で表されるものである前記化学式（８）の繰り返し単位を少なくとも１種含むことを特徴とする請求項１７に記載のポリイミド。
　　【化１５】
（式中、ｍ４及びｎ４は０以上の整数であって、ｍ４は０〜３を、ｎ４は０〜３をそれぞれ独立に示す。Ｖ４、Ｕ４、Ｔ４はそれぞれ独立に水素原子、メチル基、トリフルオロメチル基よりなる群から選択される１種を示し、Ｚ４、Ｗ４はそれぞれ独立に直接結合、または　式：−ＮＨＣＯ−、−ＣＯＮＨ−、−ＣＯＯ−、−ＯＣＯ−で表される基よりなる群から選択される１種を示す。）」
とあるのを、
「
下記化学式（８）で表される繰り返し単位を少なくとも１種含むポリイミドであって、
　
化学式（８）で表される繰り返し単位の合計含有量が、全繰り返し単位に対して、５０モル％以上であり、
　Ｂ１が下記化学式（９）で表されるものである
下記
２種
るポ
　　【化１４−１】
（式中、Ｂ
１
は芳香族ジアミンまたは脂肪族ジアミンからアミノ基を除いた２価の基である。）
　　【化１５】
（式中、ｍ４及びｎ４は０以上の整数であって、ｍ４は０〜３を、ｎ４は０〜３をそれぞれ独立に示す
（但し、ｍ
４
及びｎ
４
が共に０である場合は除く。）
に訂正する。
（１８）訂正事項１８
　特許請求の範囲の請求項１９に、
「化学式（１０）で表される繰り返し単位の合計含有量が、全繰り返し単位に対して、３０モル％以上であることを特徴とするポリイミド。
　　【化１６】
（式中、Ｂ２は芳香族ジアミンまたは脂肪族ジアミンからアミノ基を除いた２価の基である。）」
とあるのを、
「化学式（１０）で表される繰り返し単位の合計含有量が、全繰り返し単位に対して、３０モル％以上であ
り、
　
Ｂ
２
が下記化学式（１１）で表されるものである下記化学式（１０）の繰り返し単位を少なくとも２種含み、そのうちの１種が、Ｂ
２
がｍ
５
およびｎ５が０である下記化学式（１１）で表されるものである下記化学式（１０）の繰り返し単位であり、
　
さらに、Ｂ
２
が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（１０）の繰り返し単位１種以上を、化学式（１０）で表される全繰り返し単位中、２０モル％未満の割合で含む
　　【化１６】
（式中、Ｂ２は芳香族ジアミンまたは脂肪族ジアミンからアミノ基を除いた２価の基である。）
　　【化１７−１】
（式中、ｍ
５
及びｎ
５
は０以上の整数であって、ｍ
５
は０〜３を、ｎ
５
は０〜３をそれぞれ独立に示す。Ｖ
５
、Ｕ
５
、Ｔ
５
はそれぞれ独立に水素原子、メチル基、トリフルオロメチル基よりなる群から選択される１種を示し、Ｚ
５
、Ｗ
５
はそれぞれ独立に直接結合、または　式：−ＮＨＣＯ−、−ＣＯＮＨ−、−ＣＯＯ−、−ＯＣＯ−で表される基よりなる群から選択される１種を示す。）
に訂正する。
（１９）訂正事項１９
　特許請求の範囲の請求項２０に、
「Ｂ２が下記化学式（１１）で表されるものである前記化学式（１０）の繰り返し単位を少なくとも１種含むことを特徴とする請求項１９に記載のポリイミド。
　　【化１７】
（式中、ｍ５及びｎ５は０以上の整数であって、ｍ５は０〜３を、ｎ５は０〜３をそれぞれ独立に示す。Ｖ５、Ｕ５、Ｔ５はそれぞれ独立に水素原子、メチル基、トリフルオロメチル基よりなる群から選択される１種を示し、Ｚ５、Ｗ５はそれぞれ独立に直接結合、または　式：−ＮＨＣＯ−、−ＣＯＮＨ−、−ＣＯＯ−、−ＯＣＯ−で表される基よりなる群から選択される１種を示す。）」
とあるのを、
「
下記化学式（１０）で表される繰り返し単位を少なくとも１種含むポリイミドであって、
　
化学式（１０）で表される繰り返し単位の合計含有量が、全繰り返し単位に対して、３０モル％以上であり、
　Ｂ２が下記化学式（１１）で表されるものである
下記
２種
るポ
　　【化１６−１】
（式中、Ｂ
２
は芳香族ジアミンまたは脂肪族ジアミンからアミノ基を除いた２価の基である。）
　　【化１７】
（式中、ｍ５及びｎ５は０以上の整数であって、ｍ５は０〜３を、ｎ５は０〜３をそれぞれ独立に示す
（但し、ｍ
５
及びｎ
５
が共に０である場合は除く。）
に訂正する。
（２０）訂正事項２０
　特許請求の範囲の請求項２１に、
「化学式（１２）及び化学式（１３）で表される繰り返し単位の合計含有量が、全繰り返し単位に対して、８０モル％以上であることを特徴とするポリイミド。
　　【化１８】
（式中、Ｂ３は芳香族ジアミンまたは脂肪族ジアミンからアミノ基を除いた２価の基である。）
　　【化１９】
（式中、Ｂ３は芳香族ジアミンまたは脂肪族ジアミンからアミノ基を除いた２価の基である。）」
とあるのを、
「化学式（１２）及び化学式（１３）で表される繰り返し単位の合計含有量が、全繰り返し単位に対して、８０モル％以上であ
り、
　
Ｂ
３
が下記化学式（１４）で表されるものである下記化学式（１２）または下記化学式（１３）の繰り返し単位を少なくとも２種含み、そのうちの１種が、Ｂ
３
がｍ
６
およびｎ
６
が０である下記化学式（１４）で表されるものである下記化学式（１２）または下記化学式（１３）の繰り返し単位であり、
　
さらに、Ｂ
３
が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（１２）または下記化学式（１３）の繰り返し単位１種以上を、化学式（１２）及び化学式（１３）で表される全繰り返し単位中、２０モル％未満の割合で含む
　　【化１８】
（式中、Ｂ３は芳香族ジアミンまたは脂肪族ジアミンからアミノ基を除いた２価の基である。）
　　【化１９】
（式中、Ｂ３は芳香族ジアミンまたは脂肪族ジアミンからアミノ基を除いた２価の基である。）
　　【化２０−１】
（式中、ｍ
６
及びｎ
６
は０以上の整数であって、ｍ
６
は０〜３を、ｎ
６
は０〜３をそれぞれ独立に示す。Ｖ
６
、Ｕ
６
、Ｔ
６
はそれぞれ独立に水素原子、メチル基、トリフルオロメチル基よりなる群から選択される１種を示し、Ｚ
６
、Ｗ
６
はそれぞれ独立に直接結合、または　式：−ＮＨＣＯ−、−ＣＯＮＨ−、−ＣＯＯ−、−ＯＣＯ−で表される基よりなる群から選択される１種を示す。）
に訂正する。
（２１）訂正事項２１
　特許請求の範囲の請求項２２に、
「Ｂ３が下記化学式（１４）で表されるものである前記化学式（１２）の繰り返し単位を少なくとも１種、および／または、Ｂ３が下記化学式（１４）で表されるものである前記化学式（１３）の繰り返し単位を少なくとも１種含むことを特徴とする請求項２１に記載のポリイミド。
　　【化２０】
（式中、ｍ６及びｎ６は０以上の整数であって、ｍ６は０〜３を、ｎ６は０〜３をそれぞれ独立に示す。Ｖ６、Ｕ６、Ｔ６はそれぞれ独立に水素原子、メチル基、トリフルオロメチル基よりなる群から選択される１種を示し、Ｚ６、Ｗ６はそれぞれ独立に直接結合、または　式：−ＮＨＣＯ−、−ＣＯＮＨ−、−ＣＯＯ−、−ＯＣＯ−で表される基よりなる群から選択される１種を示す。）」
とあるのを、
「
下記化学式（１２）及び下記化学式（１３）で表される繰り返し単位を少なくとも１種含むポリイミドであって、
　
化学式（１２）及び化学式（１３）で表される繰り返し単位の合計含有量が、全繰り返し単位に対して、８０モル％以上であり、
　Ｂ３が下記化学式（１４）で表されるものである
下記
）ま
は下記
２種
るポ
　　【化１８−１】
（式中、Ｂ
３
は芳香族ジアミンまたは脂肪族ジアミンからアミノ基を除いた２価の基である。）
　　【化１９−１】
（式中、Ｂ
３
は芳香族ジアミンまたは脂肪族ジアミンからアミノ基を除いた２価の基である。）
　　【化２０】　
（式中、ｍ６及びｎ６は０以上の整数であって、ｍ６は０〜３を、ｎ６は０〜３をそれぞれ独立に示す
（但し、ｍ
６
及びｎ
６
が共に０である場合は除く。）
に訂正する。
（２２）訂正事項２２
　特許請求の範囲の請求項２６に、
「厚さ１０μｍのフィルムでの波長４００ｎｍにおける光透過率が、７５％以上であることを特徴とする請求項１７〜２４のいずれかに記載のポリイミド。」
とあるのを、
「
下記化学式（８）で表される繰り返し単位を少なくとも１種含み、化学式（８）で表される繰り返し単位の合計含有量が、全繰り返し単位に対して、５０モル％以上であるポリイミド、または下記化学式（１０）で表される繰り返し単位を少なくとも１種含み、化学式（１０）で表される繰り返し単位の合計含有量が、全繰り返し単位に対して、３０モル％以上であるポリイミド、または下記化学式（１２）及び下記化学式（１３）で表される繰り返し単位を少なくとも１種含み、化学式（１２）及び化学式（１３）で表される繰り返し単位の合計含有量が、全繰り返し単位に対して、８０モル％以上であるポリイミドであって、
　厚さ１０μｍのフィルムでの波長４００ｎｍにおける光透過率が、７５％以上であることを特徴とす
るポ
（但し、ｔｒａｎｓ−ｅｎｄｏ−ｅｎｄｏ異性体および／またはｃｉｓ−ｅｎｄｏ−ｅｎｄｏ異性体を含むノルボルナン−２−スピロ−α−シクロペンタノン−α’−スピロ−２’’−ノルボルナン−５，５’’，６，６’’−テトラカルボン酸またはその誘導体と４，４’−ジアミノベンズアニリドを反応させて得られたポリイミドは除く。）
　　【化２１】
（式中、Ｂ
１
は芳香族ジアミンまたは脂肪族ジアミンからアミノ基を除いた２価の基である。）
　　【化２２】
（式中、Ｂ
２
は芳香族ジアミンまたは脂肪族ジアミンからアミノ基を除いた２価の基である。）
　　【化２３】
（式中、Ｂ
３
は芳香族ジアミンまたは脂肪族ジアミンからアミノ基を除いた２価の基である。）
　　【化２４】
（式中、Ｂ
３
は芳香族ジアミンまたは脂肪族ジアミンからアミノ基を除いた２価の基である。）
に訂正する。
（２３）訂正事項２３
　特許請求の範囲の請求項２７に、
「窒素気流中、昇温速度１０℃／分で２５℃から６００℃まで昇温したときの５％重量減少温度が、４９０℃以上であることを特徴とする請求項１７〜２４のいずれかに記載のポリイミド。」
とあるのを、
「
下記化学式（８）で表される繰り返し単位を少なくとも１種含み、化学式（８）で表される繰り返し単位の合計含有量が、全繰り返し単位に対して、５０モル％以上であるポリイミド、または下記化学式（１０）で表される繰り返し単位を少なくとも１種含み、化学式（１０）で表される繰り返し単位の合計含有量が、全繰り返し単位に対して、３０モル％以上であるポリイミド、または下記化学式（１２）及び下記化学式（１３）で表される繰り返し単位を少なくとも１種含み、化学式（１２）及び化学式（１３）で表される繰り返し単位の合計含有量が、全繰り返し単位に対して、８０モル％以上であるポリイミドであって、
　窒素気流中、昇温速度１０℃／分で２５℃から６００℃まで昇温したときの５％重量減少温度が、４９０℃以上であることを特徴とす
るポ
　　【化２５】
（式中、Ｂ
１
は芳香族ジアミンまたは脂肪族ジアミンからアミノ基を除いた２価の基である。）
　　【化２６】
（式中、Ｂ
２
は芳香族ジアミンまたは脂肪族ジアミンからアミノ基を除いた２価の基である。）
　　【化２７】
（式中、Ｂ
３
は芳香族ジアミンまたは脂肪族ジアミンからアミノ基を除いた２価の基である。）
　　【化２８】
（式中、Ｂ
３
は芳香族ジアミンまたは脂肪族ジアミンからアミノ基を除いた２価の基である。）
に訂正する。
２　訂正の目的の適否、願書に添付した明細書、特許請求の範囲又は図面に記載した事項の範囲内か否か、特許請求の範囲の拡張・変更の存否及び一群の請求項
（１）訂正事項１について
　訂正事項１は、ポリイミド前駆体を「Ａ１が化学式（２）で表されるものである化学式（１）の繰り返し単位を少なくとも２種含み、そのうちの１種が、Ａ１がｍ１およびｎ１が０である化学式（２）で表されるものである化学式（１）の繰り返し単位であり、さらに、Ａ１が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である化学式（１）の繰り返し単位１種以上を、化学式（１）で表される全繰り返し単位中、２０モル％未満の割合で含む」ものに限定するものである。したがって、訂正事項１は、特許請求の範囲の減縮を目的とするものである。
　また、訂正事項１は、明細書の【００５９】、【００６１】及び【００６２】の記載に基づくものであるから、願書に添付した明細書、特許請求の範囲又は図面に記載した事項の範囲内の訂正である。
　さらに、訂正事項１は、実質上特許請求の範囲を拡張し、又は変更するものではない。
（２）訂正事項２について
　訂正事項２は、訂正前の請求項２が請求項１の記載を引用する記載であったものを、請求項間の引用関係を解消して、独立形式請求項へ改めるための訂正であり、さらに、ポリイミド前駆体を「Ａ１が化学式（２）で表されるものである化学式（１）の繰り返し単位を少なくとも２種含む」ものに限定し、「化学式（２）のｍ１及びｎ１が共に０である場合は除く」ものである。したがって、訂正事項２は、他の請求項の記載を引用する請求項の記載を当該他の請求項の記載を引用しないものとすること及び特許請求の範囲の減縮を目的とするものである。
　また、訂正事項２は、明細書の【００６２】の記載に基づくものであり、化学式（２）の「ｍ１及びｎ１が共に０である場合は除く」とする訂正は、新たな技術的事項を導入するものではないから、願書に添付した明細書、特許請求の範囲又は図面に記載した事項の範囲内の訂正である。
　さらに、訂正事項２は、実質上特許請求の範囲を拡張し、又は変更するものではない。
（３）訂正事項３について
　訂正事項３は、ポリイミド前駆体に含まれる、Ａ１が化学式（２）で表されるものである化学式（１）の繰り返し単位のうちの１種を「Ａ１が、ｍ１および／またはｎ１が１〜３であり、Ｚ１および／またはＷ１が、それぞれ独立に、−ＮＨＣＯ−、−ＣＯＮＨ−、−ＣＯＯ−、または−ＯＣＯ−のいずれかである化学式（２）の構造である化学式（１）の繰り返し単位（１−１）」に限定するものである。したがって、訂正事項３は、特許請求の範囲の減縮を目的とするものである。
　また、訂正事項３は、明細書の【００６３】の記載に基づくものであるから、願書に添付した明細書、特許請求の範囲又は図面に記載した事項の範囲内の訂正である。
　さらに、訂正事項３は、実質上特許請求の範囲を拡張し、又は変更するものではない。
（４）訂正事項４について
　訂正事項４は、繰り返し単位（１−２）を「Ａ１が、ｍ１および／またはｎ１が１〜３であり、Ｚ１およびＷ１が直接結合である化学式（２）の構造である化学式（１）の繰り返し単位」に限定するものである。したがって、訂正事項４は、特許請求の範囲の減縮を目的とするものである。
　また、訂正事項４は、化学式（２）のｍ１及びｎ１について、訂正事項２で「ｍ１及びｎ１が共に０である場合は除く」と規定するのに伴い、「ｍ１およびｎ１が０である前記化学式（２）の構造である」ものを削除するものであるから、願書に添付した明細書、特許請求の範囲又は図面に記載した事項の範囲内の訂正である。
　さらに、訂正事項４は、実質上特許請求の範囲を拡張し、又は変更するものではない。
（５）訂正事項５について
　訂正事項５は、訂正前の請求項５が請求項１ないし４の記載を引用する記載であったものを、請求項間の引用関係を解消して、独立形式請求項へ改めるための訂正であって、他の請求項の記載を引用する請求項の記載を当該他の請求項の記載を引用しないものとすることを目的とする訂正である。
　また、訂正事項５は、何ら実質的な内容の変更を伴うものではないから、願書に添付した明細書、特許請求の範囲又は図面に記載した事項の範囲内の訂正である。
　さらに、訂正事項５は、実質上特許請求の範囲を拡張し、又は変更するものではない。
（６）訂正事項６について
　訂正事項６は、ポリイミド前駆体を「Ａ２が化学式（４）で表されるものである化学式（３）の繰り返し単位を少なくとも２種含み、そのうちの１種が、Ａ２がｍ２およびｎ２が０である化学式（４）で表されるものである化学式（３）の繰り返し単位であり、さらに、Ａ２が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である化学式（３）の繰り返し単位１種以上を、化学式（３）で表される全繰り返し単位中、２０モル％未満の割合で含む」ものに限定するものである。したがって、訂正事項６は、特許請求の範囲の減縮を目的とするものである。
　また、訂正事項６は、明細書の【００８０】、【００８２】及び【００８３】の記載に基づくものであるから、願書に添付した明細書、特許請求の範囲又は図面に記載した事項の範囲内の訂正である。
　さらに、訂正事項６は、実質上特許請求の範囲を拡張し、又は変更するものではない。
（７）訂正事項７について
　訂正事項７は、訂正前の請求項７が請求項６の記載を引用する記載であったものを、請求項間の引用関係を解消して、独立形式請求項へ改めるための訂正であり、さらに、ポリイミド前駆体を「Ａ２が化学式（４）で表されるものである化学式（３）の繰り返し単位を少なくとも２種含む」ものに限定し、「化学式（４）のｍ２及びｎ２が共に０である場合は除く」ものである。したがって、訂正事項７は、他の請求項の記載を引用する請求項の記載を当該他の請求項の記載を引用しないものとすること及び特許請求の範囲の減縮を目的とするものである。
　また、訂正事項７は、明細書の【００８３】の記載に基づくものであり、また、化学式（４）の「ｍ２及びｎ２が共に０である場合は除く」とする訂正は、新たな技術的事項を導入するものではないから、願書に添付した明細書、特許請求の範囲又は図面に記載した事項の範囲内の訂正である。
　さらに、訂正事項７は、実質上特許請求の範囲を拡張し、又は変更するものではない。
（８）訂正事項８について
　訂正事項８は、ポリイミド前駆体に含まれる、Ａ２が化学式（４）で表されるものである化学式（３）の繰り返し単位のうちの１種を「Ａ２が、ｍ２および／またはｎ２が１〜３であり、Ｚ２および／またはＷ２が、それぞれ独立に、−ＮＨＣＯ−、−ＣＯＮＨ−、−ＣＯＯ−、または−ＯＣＯ−のいずれかである化学式（４）の構造である化学式（３）の繰り返し単位（３−１）」に限定するものである。したがって、訂正事項８は、特許請求の範囲の減縮を目的とするものである。
　また、訂正事項８は、明細書の【００８４】の記載に基づくものであるから、願書に添付した明細書、特許請求の範囲又は図面に記載した事項の範囲内の訂正である。
　さらに、訂正事項８は、実質上特許請求の範囲を拡張し、又は変更するものではない。
（９）訂正事項９について
　訂正事項９は、繰り返し単位（３−２）を「Ａ２が、ｍ２および／またはｎ２が１〜３であり、Ｚ２およびＷ２が直接結合である化学式（４）の構造である化学式（３）の繰り返し単位」に限定するものである。したがって、訂正事項９は、特許請求の範囲の減縮を目的とするものである。
　また、訂正事項９は、化学式（４）のｍ２及びｎ２について、訂正事項７で「ｍ２及びｎ２が共に０である場合は除く」と規定するのに伴い、「ｍ２およびｎ２が０である前記化学式（４）の構造である」ものを削除するものであるから、願書に添付した明細書、特許請求の範囲又は図面に記載した事項の範囲内の訂正である。
　さらに、訂正事項９は、実質上特許請求の範囲を拡張し、又は変更するものではない。
（１０）訂正事項１０について
　訂正事項１０は、訂正前の請求項１０が請求項６ないし９の記載を引用する記載であったものを、請求項間の引用関係を解消して、独立形式請求項へ改めるための訂正であって、他の請求項の記載を引用する請求項の記載を当該他の請求項の記載を引用しないものとすることを目的とする訂正である。
　また、訂正事項１０は、何ら実質的な内容の変更を伴うものではないから、願書に添付した明細書、特許請求の範囲又は図面に記載した事項の範囲内の訂正である。
　さらに、訂正事項１０は、実質上特許請求の範囲を拡張し、又は変更するものではない。
（１１）訂正事項１１について
　訂正事項１１は、ポリイミド前駆体を「Ａ３が化学式（７）で表されるものである化学式（５）または化学式（６）の繰り返し単位を少なくとも２種含み、そのうちの１種が、Ａ３がｍ３およびｎ３が０である化学式（７）で表されるものである化学式（５）または化学式（６）の繰り返し単位であり、さらに、Ａ３が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である化学式（５）または化学式（６）の繰り返し単位１種以上を、化学式（５）及び化学式（６）で表される全繰り返し単位中、２０モル％未満の割合で含む」ものに限定するものである。したがって、訂正事項１１は、特許請求の範囲の減縮を目的とするものである。
　また、訂正事項１１は、明細書の【０１０２】、【０１０４】及び【０１０５】の記載に基づくものであるから、願書に添付した明細書、特許請求の範囲又は図面に記載した事項の範囲内の訂正である。
　さらに、訂正事項１１は、実質上特許請求の範囲を拡張し、又は変更するものではない。
（１２）訂正事項１２について
　訂正事項１２は、訂正前の請求項１２が請求項１１の記載を引用する記載であったものを、請求項間の引用関係を解消して、独立形式請求項へ改めるための訂正であり、さらに、ポリイミド前駆体を「Ａ３が化学式（７）で表されるものである化学式（５）または化学式（６）の繰り返し単位を少なくとも２種含む」ものに限定し、「化学式（７）のｍ３及びｎ３が共に０である場合は除く」ものである。したがって、訂正事項１２は、他の請求項の記載を引用する請求項の記載を当該他の請求項の記載を引用しないものとすること及び特許請求の範囲の減縮を目的とするものである。
　また、訂正事項１２は、明細書の【０１０５】の記載に基づくものであり、また、化学式（７）の「ｍ３及びｎ３が共に０である場合は除く」とする訂正は、新たな技術的事項を導入するものではないから、願書に添付した明細書、特許請求の範囲又は図面に記載した事項の範囲内の訂正である。
　さらに、訂正事項１２は、実質上特許請求の範囲を拡張し、又は変更するものではない。
（１３）訂正事項１３について
　訂正事項１３は、ポリイミド前駆体に含まれる、Ａ３が化学式（７）で表されるものである化学式（５）または化学式（６）の繰り返し単位のうちの１種を「Ａ３が、ｍ３および／またはｎ３が１〜３であり、Ｚ３および／またはＷ３が、それぞれ独立に、−ＮＨＣＯ−、−ＣＯＮＨ−、−ＣＯＯ−、または−ＯＣＯ−のいずれかである化学式（７）の構造である化学式（５）または（６）の繰り返し単位（５−１）」に限定するものである。したがって、訂正事項１３は、特許請求の範囲の減縮を目的とするものである。
　また、訂正事項１３は、請求項１２及び明細書の【０１０６】の記載に基づくものであるから、願書に添付した明細書、特許請求の範囲又は図面に記載した事項の範囲内の訂正である。
　さらに、訂正事項１３は、実質上特許請求の範囲を拡張し、又は変更するものではない。
（１４）訂正事項１４について
　訂正事項１４は、繰り返し単位（５−２）を「Ａ３が、ｍ３および／またはｎ３が１〜３であり、Ｚ３およびＷ３が直接結合である化学式（７）の構造である化学式（５）または（６）の繰り返し単位」に限定するものである。したがって、訂正事項１４は、特許請求の範囲の減縮を目的とするものである。
　また、訂正事項１４は、化学式（７）のｍ３及びｎ３について、訂正事項１２で「ｍ３及びｎ３が共に０である場合は除く」と規定するのに伴い、「ｍ３およびｎ３が０である前記化学式（７）の構造である」ものを削除するものであるから、願書に添付した明細書、特許請求の範囲又は図面に記載した事項の範囲内の訂正である。
　さらに、訂正事項１４は、実質上特許請求の範囲を拡張し、又は変更するものではない。
（１５）訂正事項１５について
　訂正事項１５は、訂正前の請求項１５が請求項１１ないし１４の記載を引用する記載であったものを、請求項間の引用関係を解消して、独立形式請求項へ改めるための訂正であって、他の請求項の記載を引用する請求項の記載を当該他の請求項の記載を引用しないものとすることを目的とする訂正である。
　また、訂正事項１５は、何ら実質的な内容の変更を伴うものではないから、願書に添付した明細書、特許請求の範囲又は図面に記載した事項の範囲内の訂正である。
　さらに、訂正事項１５は、実質上特許請求の範囲を拡張し、又は変更するものではない。
（１６）訂正事項１６について
　訂正事項１６は、ポリイミドを「Ｂ１が化学式（９）で表されるものである化学式（８）の繰り返し単位を少なくとも２種含み、そのうちの１種が、Ｂ１がｍ４およびｎ４が０である化学式（９）で表されるものである化学式（８）の繰り返し単位であり、さらに、Ｂ１が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である化学式（８）の繰り返し単位１種以上を、化学式（８）で表される全繰り返し単位中、２０モル％未満の割合で含む」ものに限定するものである。したがって、訂正事項１６は、特許請求の範囲の減縮を目的とするものである。
　また、訂正事項１６は、明細書の【００５９】、【００６１】、【００６２】及び【０１４７】の記載に基づくものであるから、願書に添付した明細書、特許請求の範囲又は図面に記載した事項の範囲内の訂正である。
　さらに、訂正事項１６は、実質上特許請求の範囲を拡張し、又は変更するものではない。
（１７）訂正事項１７について
　訂正事項１７は、訂正前の請求項１８が請求項１７の記載を引用する記載であったものを、請求項間の引用関係を解消して、独立形式請求項へ改めるための訂正であり、さらに、ポリイミドを「Ｂ１が化学式（９）で表されるものである化学式（８）の繰り返し単位を少なくとも２種含む」ものに限定し、「化学式（９）のｍ４及びｎ４が共に０である場合は除く」ものである。したがって、訂正事項１７は、他の請求項の記載を引用する請求項の記載を当該他の請求項の記載を引用しないものとすること及び特許請求の範囲の減縮を目的とするものである。
　また、訂正事項１７は、明細書の【００６２】及び【０１４７】の記載に基づくものであり、また、化学式（９）の「ｍ４及びｎ４が共に０である場合は除く」とする訂正は、新たな技術的事項を導入するものではないから、願書に添付した明細書、特許請求の範囲又は図面に記載した事項の範囲内の訂正である。
　さらに、訂正事項１７は、実質上特許請求の範囲を拡張し、又は変更するものではない。
（１８）訂正事項１８について
　訂正事項１８は、ポリイミドを「Ｂ２が化学式（１１）で表されるものである化学式（１０）の繰り返し単位を少なくとも２種含み、そのうちの１種が、Ｂ２がｍ５およびｎ５が０である化学式（１１）で表されるものである化学式（１０）の繰り返し単位であり、さらに、Ｂ２が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である化学式（１０）の繰り返し単位１種以上を、化学式（１０）で表される全繰り返し単位中、２０モル％未満の割合で含む」ものに限定するものである。したがって、訂正事項１８は、特特許請求の範囲の減縮を目的とするものである。
　また、訂正事項１８は、明細書の【００８０】、【００８２】、【００８３】及び【０１４９】の記載に基づくものであるから、願書に添付した明細書、特許請求の範囲又は図面に記載した事項の範囲内の訂正である。
　さらに、訂正事項１８は、実質上特許請求の範囲を拡張し、又は変更するものではない。
（１９）訂正事項１９について
　訂正事項１９は、訂正前の請求項２０が請求項１９の記載を引用する記載であったものを、請求項間の引用関係を解消して、独立形式請求項へ改めるための訂正であり、さらに、ポリイミドを「Ｂ２が化学式（１１）で表されるものである化学式（１０）の繰り返し単位を少なくとも２種含む」ものに限定し、「化学式（１１）のｍ５及びｎ５が共に０である場合は除く」ものである。したがって、訂正事項１９は、他の請求項の記載を引用する請求項の記載を当該他の請求項の記載を引用しないものとすること及び特許請求の範囲の減縮を目的とするものである。
　また、訂正事項１９は、明細書の【００８３】及び【０１４９】の記載に基づくものであり、また、化学式（１１）の「ｍ５及びｎ５が共に０である場合は除く」とする訂正は、新たな技術的事項を導入するものではないから、願書に添付した明細書、特許請求の範囲又は図面に記載した事項の範囲内の訂正である。
　さらに、訂正事項１９は、実質上特許請求の範囲を拡張し、又は変更するものではない。
（２０）訂正事項２０について
　訂正事項２０は、ポリイミドを「Ｂ３が化学式（１４）で表されるものである化学式（１２）または化学式（１３）の繰り返し単位を少なくとも２種含み、そのうちの１種が、Ｂ３がｍ６およびｎ６が０である化学式（１４）で表されるものである化学式（１２）または化学式（１３）の繰り返し単位であり、さらに、Ｂ３が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である化学式（１２）または化学式（１３）の繰り返し単位１種以上を、化学式（１２）及び化学式（１３）で表される全繰り返し単位中、２０モル％未満の割合で含む」ものに限定するものである。したがって、訂正事項２０は、特許請求の範囲の減縮を目的とするものである。
　また、訂正事項２０は、明細書の【０１０２】、【０１０４】、【０１０５】及び【０１５１】の記載に基づくものであるから、願書に添付した明細書、特許請求の範囲又は図面に記載した事項の範囲内の訂正である。
　さらに、訂正事項２０は、実質上特許請求の範囲を拡張し、又は変更するものではない。
（２１）訂正事項２１について
　訂正事項２１は、訂正前の請求項２２が請求項２１の記載を引用する記載であったものを、請求項間の引用関係を解消して、独立形式請求項へ改めるための訂正であり、さらに、ポリイミドを「Ｂ３が化学式（１４）で表されるものである化学式（１２）または化学式（１３）の繰り返し単位を少なくとも２種含む」ものに限定し、「化学式（１４）のｍ６及びｎ６が共に０である場合は除く」ものである。したがって、訂正事項２１は、他の請求項の記載を引用する請求項の記載を当該他の請求項の記載を引用しないものとすること及び特許請求の範囲の減縮を目的とするものである。
　また、訂正事項２１は、明細書の【０１０５】及び【０１５１】の記載に基づくものであり、また、化学式（１４）の「ｍ６及びｎ６が共に０である場合は除く」とする訂正は、新たな技術的事項を導入するものではないから、願書に添付した明細書、特許請求の範囲又は図面に記載した事項の範囲内の訂正である。
　さらに、訂正事項２１は、実質上特許請求の範囲を拡張し、又は変更するものではない。
（２２）訂正事項２２について
　訂正事項２２は、訂正前の請求項２６が請求項１７ないし２４の記載を引用する記載であったものを、請求項間の引用関係を解消して、独立形式請求項へ改めるための訂正であり、さらに、「ｔｒａｎｓ−ｅｎｄｏ−ｅｎｄｏ異性体および／またはｃｉｓ−ｅｎｄｏ−ｅｎｄｏ異性体を含むノルボルナン−２−スピロ−α−シクロペンタノン−α’−スピロ−２’’−ノルボルナン−５，５’’，６，６’’−テトラカルボン酸またはその誘導体と４，４’−ジアミノベンズアニリドを反応させて得られたポリイミドは除く」ものである。したがって、訂正事項２２は、他の請求項の記載を引用する請求項の記載を当該他の請求項の記載を引用しないものとすること及び特許請求の範囲の減縮を目的とするものである。
　また、「ｔｒａｎｓ−ｅｎｄｏ−ｅｎｄｏ異性体および／またはｃｉｓ−ｅｎｄｏ−ｅｎｄｏ異性体を含むノルボルナン−２−スピロ−α−シクロペンタノン−α’−スピロ−２’’−ノルボルナン−５，５’’，６，６’’−テトラカルボン酸またはその誘導体と４，４’−ジアミノベンズアニリドを反応させて得られたポリイミドは除く」とする訂正は、新たな技術的事項を導入するものではないから、訂正事項２２は、願書に添付した明細書、特許請求の範囲又は図面に記載した事項の範囲内の訂正である。
　さらに、訂正事項２２は、実質上特許請求の範囲を拡張し、又は変更するものではない。
（２３）訂正事項２３について
　訂正事項２３は、訂正前の請求項２７が請求項１７ないし２４の記載を引用する記載であったものを、請求項間の引用関係を解消して、独立形式請求項へ改めるための訂正であって、特許法第１２０条の５第２項ただし書第４号に規定する他の請求項の記載を引用する請求項の記載を当該他の請求項の記載を引用しないものとすることを目的とする訂正である。
　また、訂正事項２３は、何ら実質的な内容の変更を伴うものではないから、願書に添付した明細書、特許請求の範囲又は図面に記載した事項の範囲内の訂正である。
　さらに、訂正事項２３は、実質上特許請求の範囲を拡張し、又は変更するものではない。
（２４）一群の請求項
　訂正前の請求項１ないし３０は一群の請求項である。
　そして、本件訂正の請求は、訂正前の請求項１ないし３０に対してされたものである。
　したがって、本件訂正の請求は、一群の請求項ごとにされたものである。
３　むすび
　以上のとおりであるから、本件訂正の請求は、特許法第１２０条の５第２項ただし書第１及び４号に掲げる事項を目的とするものであり、かつ、同条第４項及び同条第９項において準用する同法第１２６条第５及び６項の規定に適合する。
　また、特許異議の申立ては、訂正前の全ての請求項に対してされているので、訂正を認める要件として、同法第１２０条の５第９項において読み替えて準用する同法第１２６条第７項に規定する独立特許要件は課されない。
　したがって、本件訂正の請求は適法なものであり、訂正後の請求項〔１ないし３０〕について訂正することを認める。
　なお、特許権者から、引用関係の解消を目的とする訂正を行った請求項について、訂正後の請求項について訂正が認められる場合には、先行する請求項とは別途訂正することの求めがされているが、訂正後の全ての請求項は、請求項２８ないし３０を介して繋がっていることから、別途訂正することは認められない。
　
第３　特許異議の申立てについて
１　本件特許発明
　上記第２のとおり、訂正後の請求項〔１ないし３０〕について訂正することを認めるので、本件特許の請求項１ないし３０に係る発明（以下、順に「本件特許発明１」ないし「本件特許発明３０」という。）は、平成２９年１１月１０日に提出された訂正請求書に添付された訂正特許請求の範囲の請求項１ないし３０に記載された事項により特定される次のとおりのものである。
　「【請求項１】
　下記化学式（１）で表される繰り返し単位を少なくとも１種含むポリイミド前駆体であって、
　化学式（１）で表される繰り返し単位の合計含有量が、全繰り返し単位に対して、５０モル％以上であり、
　Ａ１が下記化学式（２）で表されるものである下記化学式（１）の繰り返し単位を少なくとも２種含み、そのうちの１種が、Ａ１がｍ１およびｎ１が０である下記化学式（２）で表されるものである下記化学式（１）の繰り返し単位であり、
　さらに、Ａ１が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（１）の繰り返し単位１種以上を、化学式（１）で表される全繰り返し単位中、２０モル％未満の割合で含むことを特徴とするポリイミド前駆体。
　　【化１】
（式中、Ａ１は芳香族ジアミンまたは脂肪族ジアミンからアミノ基を除いた２価の基であり、Ｘ１、Ｙ１はそれぞれ独立に水素、炭素数１〜６のアルキル基、または炭素数３〜９のアルキルシリル基である。）
　　【化２−１】
（式中、ｍ１及びｎ１は０以上の整数であって、ｍ１は０〜３を、ｎ１は０〜３をそれぞれ独立に示す。Ｖ１、Ｕ１、Ｔ１はそれぞれ独立に水素原子、メチル基、トリフルオロメチル基よりなる群から選択される１種を示し、Ｚ１、Ｗ１はそれぞれ独立に直接結合、または　式：−ＮＨＣＯ−、−ＣＯＮＨ−、−ＣＯＯ−、−ＯＣＯ−で表される基よりなる群から選択される１種を示す。）
【請求項２】
　下記化学式（１）で表される繰り返し単位を少なくとも１種含むポリイミド前駆体であって、
　化学式（１）で表される繰り返し単位の合計含有量が、全繰り返し単位に対して、５０モル％以上であり、
　Ａ１が下記化学式（２）で表されるものである下記化学式（１）の繰り返し単位を少なくとも２種含むことを特徴とするポリイミド前駆体。
　　【化１−１】
（式中、Ａ１は芳香族ジアミンまたは脂肪族ジアミンからアミノ基を除いた２価の基であり、Ｘ１、Ｙ１はそれぞれ独立に水素、炭素数１〜６のアルキル基、または炭素数３〜９のアルキルシリル基である。）
　　【化２】
（式中、ｍ１及びｎ１は０以上の整数であって、ｍ１は０〜３を、ｎ１は０〜３をそれぞれ独立に示す（但し、ｍ１及びｎ１が共に０である場合は除く。）。Ｖ１、Ｕ１、Ｔ１はそれぞれ独立に水素原子、メチル基、トリフルオロメチル基よりなる群から選択される１種を示し、Ｚ１、Ｗ１はそれぞれ独立に直接結合、または　式：−ＮＨＣＯ−、−ＣＯＮＨ−、−ＣＯＯ−、−ＯＣＯ−で表される基よりなる群から選択される１種を示す。）
【請求項３】
　Ａ１が前記化学式（２）で表されるものである前記化学式（１）の繰り返し単位を少なくとも２種含み、そのうちの１種が、Ａ１が、ｍ１および／またはｎ１が１〜３であり、Ｚ１および／またはＷ１が、それぞれ独立に、−ＮＨＣＯ−、−ＣＯＮＨ−、−ＣＯＯ−、または−ＯＣＯ−のいずれかである前記化学式（２）の構造である前記化学式（１）の繰り返し単位（１−１）であることを特徴とする請求項２に記載のポリイミド前駆体。
【請求項４】
　（ｉ）Ａ１が、ｍ１および／またはｎ１が１〜３であり、Ｚ１および／またはＷ１が、それぞれ独立に、−ＮＨＣＯ−、−ＣＯＮＨ−、−ＣＯＯ−、または−ＯＣＯ−のいずれかである前記化学式（２）の構造である前記化学式（１）の繰り返し単位（１−１）を少なくとも１種含み、
　（ｉｉ）Ａ１が、ｍ１および／またはｎ１が１〜３であり、Ｚ１およびＷ１が直接結合である前記化学式（２）の構造である前記化学式（１）の繰り返し単位（１−２）を少なくとも１種含むことを特徴とする請求項３に記載のポリイミド前駆体。
【請求項５】
　下記化学式（１）で表される繰り返し単位を少なくとも１種含むポリイミド前駆体であって、
　化学式（１）で表される繰り返し単位の合計含有量が、全繰り返し単位に対して、５０モル％以上であり、
　繰り返し単位（１−１）として、Ａ１が下記化学式（Ｄ−１）〜（Ｄ−３）のいずれかで表されるものである下記化学式（１）の繰り返し単位を少なくとも１種含み、
　繰り返し単位（１−２）として、Ａ１が下記化学式（Ｄ−４）〜（Ｄ−６）のいずれかで表されるものである下記化学式（１）の繰り返し単位を少なくとも１種含むことを特徴とするポリイミド前駆体。
　　【化１−２】
（式中、Ａ１は芳香族ジアミンまたは脂肪族ジアミンからアミノ基を除いた２価の基であり、Ｘ１、Ｙ１はそれぞれ独立に水素、炭素数１〜６のアルキル基、または炭素数３〜９のアルキルシリル基である。）
　　【化３】
　　【化４】
【請求項６】
　下記化学式（３）で表される繰り返し単位を少なくとも１種含むポリイミド前駆体であって、
　化学式（３）で表される繰り返し単位の合計含有量が、全繰り返し単位に対して、３０モル％以上であり、
　Ａ２が下記化学式（４）で表されるものである下記化学式（３）の繰り返し単位を少なくとも２種含み、そのうちの１種が、Ａ２がｍ２およびｎ２が０である下記化学式（４）で表されるものである下記化学式（３）の繰り返し単位であり、
　さらに、Ａ２が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（３）の繰り返し単位１種以上を、化学式（３）で表される全繰り返し単位中、２０モル％未満の割合で含むことを特徴とするポリイミド前駆体。
　　【化５】
（式中、Ａ２は芳香族ジアミンまたは脂肪族ジアミンからアミノ基を除いた２価の基であり、Ｘ２、Ｙ２はそれぞれ独立に水素、炭素数１〜６のアルキル基、または炭素数３〜９のアルキルシリル基である。）
　　【化６−１】
（式中、ｍ２及びｎ２は０以上の整数であって、ｍ２は０〜３を、ｎ２は０〜３をそれぞれ独立に示す。Ｖ２、Ｕ２、Ｔ２はそれぞれ独立に水素原子、メチル基、トリフルオロメチル基よりなる群から選択される１種を示し、Ｚ２、Ｗ２はそれぞれ独立に直接結合、または　式：−ＮＨＣＯ−、−ＣＯＮＨ−、−ＣＯＯ−、−ＯＣＯ−で表される基よりなる群から選択される１種を示す。）
【請求項７】
　下記化学式（３）で表される繰り返し単位を少なくとも１種含むポリイミド前駆体であって、
　化学式（３）で表される繰り返し単位の合計含有量が、全繰り返し単位に対して、３０モル％以上であり、
　Ａ２が下記化学式（４）で表されるものである下記化学式（３）の繰り返し単位を少なくとも２種含むことを特徴とするポリイミド前駆体。
　　【化５−１】
（式中、Ａ２は芳香族ジアミンまたは脂肪族ジアミンからアミノ基を除いた２価の基であり、Ｘ２、Ｙ２はそれぞれ独立に水素、炭素数１〜６のアルキル基、または炭素数３〜９のアルキルシリル基である。）
　　【化６】
（式中、ｍ２及びｎ２は０以上の整数であって、ｍ２は０〜３を、ｎ２は０〜３をそれぞれ独立に示す（但し、ｍ２及びｎ２が共に０である場合は除く。）。Ｖ２、Ｕ２、Ｔ２はそれぞれ独立に水素原子、メチル基、トリフルオロメチル基よりなる群から選択される１種を示し、Ｚ２、Ｗ２はそれぞれ独立に直接結合、または　式：−ＮＨＣＯ−、−ＣＯＮＨ−、−ＣＯＯ−、−ＯＣＯ−で表される基よりなる群から選択される１種を示す。）
【請求項８】
　Ａ２が前記化学式（４）で表されるものである前記化学式（３）の繰り返し単位を少なくとも２種含み、そのうちの１種が、Ａ２が、ｍ２および／またはｎ２が１〜３であり、Ｚ２および／またはＷ２が、それぞれ独立に、−ＮＨＣＯ−、−ＣＯＮＨ−、−ＣＯＯ−、または−ＯＣＯ−のいずれかである前記化学式（４）の構造である前記化学式（３）の繰り返し単位（３−１）であることを特徴とする請求項７に記載のポリイミド前駆体。
【請求項９】
　（ｉ）Ａ２が、ｍ２および／またはｎ２が１〜３であり、Ｚ２および／またはＷ２が、それぞれ独立に、−ＮＨＣＯ−、−ＣＯＮＨ−、−ＣＯＯ−、または−ＯＣＯ−のいずれかである前記化学式（４）の構造である前記化学式（３）の繰り返し単位（３−１）を少なくとも１種含み、
　（ｉｉ）Ａ２が、ｍ２および／またはｎ２が１〜３であり、Ｚ２およびＷ２が直接結合である前記化学式（４）の構造である前記化学式（３）の繰り返し単位（３−２）を少なくとも１種含むことを特徴とする請求項８に記載のポリイミド前駆体。
【請求項１０】
　下記化学式（３）で表される繰り返し単位を少なくとも１種含むポリイミド前駆体であって、
　化学式（３）で表される繰り返し単位の合計含有量が、全繰り返し単位に対して、３０モル％以上であり、
　繰り返し単位（３−１）として、Ａ２が下記化学式（Ｄ−１）〜（Ｄ−３）のいずれかで表されるものである下記化学式（３）の繰り返し単位を少なくとも１種含み、
　繰り返し単位（３−２）として、Ａ２が下記化学式（Ｄ−４）〜（Ｄ−６）のいずれかで表されるものである下記化学式（３）の繰り返し単位を少なくとも１種含むことを特徴とするポリイミド前駆体。
　　【化５−２】
（式中、Ａ２は芳香族ジアミンまたは脂肪族ジアミンからアミノ基を除いた２価の基であり、Ｘ２、Ｙ２はそれぞれ独立に水素、炭素数１〜６のアルキル基、または炭素数３〜９のアルキルシリル基である。）
　　【化７】
　　【化８】
【請求項１１】
　下記化学式（５）及び下記化学式（６）で表される繰り返し単位を少なくとも１種含むポリイミド前駆体であって、
　化学式（５）及び化学式（６）で表される繰り返し単位の合計含有量が、全繰り返し単位に対して、８０モル％以上であり、
　Ａ３が下記化学式（７）で表されるものである下記化学式（５）または下記化学式（６）の繰り返し単位を少なくとも２種含み、そのうちの１種が、Ａ３がｍ３およびｎ３が０である下記化学式（７）で表されるものである下記化学式（５）または下記化学式（６）の繰り返し単位であり、
　さらに、Ａ３が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（５）または下記化学式（６）の繰り返し単位１種以上を、化学式（５）及び化学式（６）で表される全繰り返し単位中、２０モル％未満の割合で含むことを特徴とするポリイミド前駆体。
　　【化９】
（式中、Ａ３は芳香族ジアミンまたは脂肪族ジアミンからアミノ基を除いた２価の基であり、Ｘ３、Ｙ３はそれぞれ独立に水素、炭素数１〜６のアルキル基、または炭素数３〜９のアルキルシリル基である。）
　　【化１０】
（式中、Ａ３は芳香族ジアミンまたは脂肪族ジアミンからアミノ基を除いた２価の基であり、Ｘ４、Ｙ４はそれぞれ独立に水素、炭素数１〜６のアルキル基、または炭素数３〜９のアルキルシリル基である。）
　　【化１１−１】
（式中、ｍ３及びｎ３は０以上の整数であって、ｍ３は０〜３を、ｎ３は０〜３をそれぞれ独立に示す。Ｖ３、Ｕ３、Ｔ３はそれぞれ独立に水素原子、メチル基、トリフルオロメチル基よりなる群から選択される１種を示し、Ｚ３、Ｗ３はそれぞれ独立に直接結合、または　式：−ＮＨＣＯ−、−ＣＯＮＨ−、−ＣＯＯ−、−ＯＣＯ−で表される基よりなる群から選択される１種を示す。）
【請求項１２】
　下記化学式（５）及び下記化学式（６）で表される繰り返し単位を少なくとも１種含むポリイミド前駆体であって、
　化学式（５）及び化学式（６）で表される繰り返し単位の合計含有量が、全繰り返し単位に対して、８０モル％以上であり、
　Ａ３が下記化学式（７）で表されるものである下記化学式（５）または下記化学式（６）の繰り返し単位を少なくとも２種含むことを特徴とするポリイミド前駆体。
　　【化９−１】
（式中、Ａ３は芳香族ジアミンまたは脂肪族ジアミンからアミノ基を除いた２価の基であり、Ｘ３、Ｙ３はそれぞれ独立に水素、炭素数１〜６のアルキル基、または炭素数３〜９のアルキルシリル基である。）
　　【化１０−１】
（式中、Ａ３は芳香族ジアミンまたは脂肪族ジアミンからアミノ基を除いた２価の基であり、Ｘ４、Ｙ４はそれぞれ独立に水素、炭素数１〜６のアルキル基、または炭素数３〜９のアルキルシリル基である。）
　　【化１１】
（式中、ｍ３及びｎ３は０以上の整数であって、ｍ３は０〜３を、ｎ３は０〜３をそれぞれ独立に示す（但し、ｍ３及びｎ３が共に０である場合は除く。）。Ｖ３、Ｕ３、Ｔ３はそれぞれ独立に水素原子、メチル基、トリフルオロメチル基よりなる群から選択される１種を示し、Ｚ３、Ｗ３はそれぞれ独立に直接結合、または　式：−ＮＨＣＯ−、−ＣＯＮＨ−、−ＣＯＯ−、−ＯＣＯ−で表される基よりなる群から選択される１種を示す。）
【請求項１３】
　Ａ３が前記化学式（７）で表されるものである前記化学式（５）または前記化学式（６）の繰り返し単位を少なくとも２種含み、そのうちの１種が、Ａ３が、ｍ３および／またはｎ３が１〜３であり、Ｚ３および／またはＷ３が、それぞれ独立に、−ＮＨＣＯ−、−ＣＯＮＨ−、−ＣＯＯ−、または−ＯＣＯ−のいずれかである前記化学式（７）の構造である前記化学式（５）または（６）の繰り返し単位（５−１）であることを特徴とする請求項１２に記載のポリイミド前駆体。
【請求項１４】
　（ｉ）Ａ３が、ｍ３および／またはｎ３が１〜３であり、Ｚ３および／またはＷ３が、それぞれ独立に、−ＮＨＣＯ−、−ＣＯＮＨ−、−ＣＯＯ−、または−ＯＣＯ−のいずれかである前記化学式（７）の構造である前記化学式（５）または（６）の繰り返し単位（５−１）を少なくとも１種含み、
　（ｉｉ）Ａ３が、ｍ３および／またはｎ３が１〜３であり、Ｚ３およびＷ３が直接結合である前記化学式（７）の構造である前記化学式（５）または（６）の繰り返し単位（５−２）を少なくとも１種含むことを特徴とする請求項１３に記載のポリイミド前駆体。
【請求項１５】
　下記化学式（５）及び下記化学式（６）で表される繰り返し単位を少なくとも１種含むポリイミド前駆体であって、
　化学式（５）及び化学式（６）で表される繰り返し単位の合計含有量が、全繰り返し単位に対して、８０モル％以上であり、
　繰り返し単位（５−１）として、Ａ３が下記化学式（Ｄ−１）〜（Ｄ−３）のいずれかで表されるものである下記化学式（５）または（６）の繰り返し単位を少なくとも１種含み、
　繰り返し単位（５−２）として、Ａ３が下記化学式（Ｄ−４）〜（Ｄ−６）のいずれかで表されるものである下記化学式（５）または（６）の繰り返し単位を少なくとも１種含むことを特徴とするポリイミド前駆体。
　　【化９−２】
（式中、Ａ３は芳香族ジアミンまたは脂肪族ジアミンからアミノ基を除いた２価の基であり、Ｘ３、Ｙ３はそれぞれ独立に水素、炭素数１〜６のアルキル基、または炭素数３〜９のアルキルシリル基である。）
　　【化１０−２】
（式中、Ａ３は芳香族ジアミンまたは脂肪族ジアミンからアミノ基を除いた２価の基であり、Ｘ４、Ｙ４はそれぞれ独立に水素、炭素数１〜６のアルキル基、または炭素数３〜９のアルキルシリル基である。）
　　【化１２】
　　【化１３】
【請求項１６】
　前記化学式（５）で表される繰り返し単位の合計含有量が、全繰り返し単位に対して、５０モル％以上であり、且つ、
　前記化学式（６）で表される繰り返し単位の合計含有量が、全繰り返し単位に対して、３０モル％以上であることを特徴とする請求項１１〜１５のいずれかに記載のポリイミド前駆体。
【請求項１７】
　下記化学式（８）で表される繰り返し単位を少なくとも１種含むポリイミドであって、
　化学式（８）で表される繰り返し単位の合計含有量が、全繰り返し単位に対して、５０モル％以上であり、
　Ｂ１が下記化学式（９）で表されるものである下記化学式（８）の繰り返し単位を少なくとも２種含み、そのうちの１種が、Ｂ１がｍ４およびｎ４が０である下記化学式（９）で表されるものである下記化学式（８）の繰り返し単位であり、
　さらに、Ｂ１が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（８）の繰り返し単位１種以上を、化学式（８）で表される全繰り返し単位中、２０モル％未満の割合で含むことを特徴とするポリイミド。
　　【化１４】
（式中、Ｂ１は芳香族ジアミンまたは脂肪族ジアミンからアミノ基を除いた２価の基である。）
　　【化１５−１】
（式中、ｍ４及びｎ４は０以上の整数であって、ｍ４は０〜３を、ｎ４は０〜３をそれぞれ独立に示す。Ｖ４、Ｕ４、Ｔ４はそれぞれ独立に水素原子、メチル基、トリフルオロメチル基よりなる群から選択される１種を示し、Ｚ４、Ｗ４はそれぞれ独立に直接結合、または　式：−ＮＨＣＯ−、−ＣＯＮＨ−、−ＣＯＯ−、−ＯＣＯ−で表される基よりなる群から選択される１種を示す。）
【請求項１８】
　下記化学式（８）で表される繰り返し単位を少なくとも１種含むポリイミドであって、
　化学式（８）で表される繰り返し単位の合計含有量が、全繰り返し単位に対して、５０モル％以上であり、
　Ｂ１が下記化学式（９）で表されるものである下記化学式（８）の繰り返し単位を少なくとも２種含むことを特徴とするポリイミド。
　　【化１４−１】
（式中、Ｂ１は芳香族ジアミンまたは脂肪族ジアミンからアミノ基を除いた２価の基である。）
　　【化１５】
（式中、ｍ４及びｎ４は０以上の整数であって、ｍ４は０〜３を、ｎ４は０〜３をそれぞれ独立に示す（但し、ｍ４及びｎ４が共に０である場合は除く。）。Ｖ４、Ｕ４、Ｔ４はそれぞれ独立に水素原子、メチル基、トリフルオロメチル基よりなる群から選択される１種を示し、Ｚ４、Ｗ４はそれぞれ独立に直接結合、または　式：−ＮＨＣＯ−、−ＣＯＮＨ−、−ＣＯＯ−、−ＯＣＯ−で表される基よりなる群から選択される１種を示す。）
【請求項１９】
　下記化学式（１０）で表される繰り返し単位を少なくとも１種含むポリイミドであって、
　化学式（１０）で表される繰り返し単位の合計含有量が、全繰り返し単位に対して、３０モル％以上であり、
　Ｂ２が下記化学式（１１）で表されるものである下記化学式（１０）の繰り返し単位を少なくとも２種含み、そのうちの１種が、Ｂ２がｍ５およびｎ５が０である下記化学式（１１）で表されるものである下記化学式（１０）の繰り返し単位であり、
　さらに、Ｂ２が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（１０）の繰り返し単位１種以上を、化学式（１０）で表される全繰り返し単位中、２０モル％未満の割合で含むことを特徴とするポリイミド。
　　【化１６】
（式中、Ｂ２は芳香族ジアミンまたは脂肪族ジアミンからアミノ基を除いた２価の基である。）
　　【化１７−１】
（式中、ｍ５及びｎ５は０以上の整数であって、ｍ５は０〜３を、ｎ５は０〜３をそれぞれ独立に示す。Ｖ５、Ｕ５、Ｔ５はそれぞれ独立に水素原子、メチル基、トリフルオロメチル基よりなる群から選択される１種を示し、Ｚ５、Ｗ５はそれぞれ独立に直接結合、または　式：−ＮＨＣＯ−、−ＣＯＮＨ−、−ＣＯＯ−、−ＯＣＯ−で表される基よりなる群から選択される１種を示す。）
【請求項２０】
　下記化学式（１０）で表される繰り返し単位を少なくとも１種含むポリイミドであって、
　化学式（１０）で表される繰り返し単位の合計含有量が、全繰り返し単位に対して、３０モル％以上であり、
　Ｂ２が下記化学式（１１）で表されるものである下記化学式（１０）の繰り返し単位を少なくとも２種含むことを特徴とするポリイミド。
　　【化１６−１】
（式中、Ｂ２は芳香族ジアミンまたは脂肪族ジアミンからアミノ基を除いた２価の基である。）
　　【化１７】
（式中、ｍ５及びｎ５は０以上の整数であって、ｍ５は０〜３を、ｎ５は０〜３をそれぞれ独立に示す（但し、ｍ５及びｎ５が共に０である場合は除く。）。Ｖ５、Ｕ５、Ｔ５はそれぞれ独立に水素原子、メチル基、トリフルオロメチル基よりなる群から選択される１種を示し、Ｚ５、Ｗ５はそれぞれ独立に直接結合、または　式：−ＮＨＣＯ−、−ＣＯＮＨ−、−ＣＯＯ−、−ＯＣＯ−で表される基よりなる群から選択される１種を示す。）
【請求項２１】
　下記化学式（１２）及び下記化学式（１３）で表される繰り返し単位を少なくとも１種含むポリイミドであって、
　化学式（１２）及び化学式（１３）で表される繰り返し単位の合計含有量が、全繰り返し単位に対して、８０モル％以上であり、
　Ｂ３が下記化学式（１４）で表されるものである下記化学式（１２）または下記化学式（１３）の繰り返し単位を少なくとも２種含み、そのうちの１種が、Ｂ３がｍ６およびｎ６が０である下記化学式（１４）で表されるものである下記化学式（１２）または下記化学式（１３）の繰り返し単位であり、
　さらに、Ｂ３が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（１２）または下記化学式（１３）の繰り返し単位１種以上を、化学式（１２）及び化学式（１３）で表される全繰り返し単位中、２０モル％未満の割合で含むことを特徴とするポリイミド。
　　【化１８】
（式中、Ｂ３は芳香族ジアミンまたは脂肪族ジアミンからアミノ基を除いた２価の基である。）
　　【化１９】
（式中、Ｂ３は芳香族ジアミンまたは脂肪族ジアミンからアミノ基を除いた２価の基である。）
　　【化２０−１】
（式中、ｍ６及びｎ６は０以上の整数であって、ｍ６は０〜３を、ｎ６は０〜３をそれぞれ独立に示す。Ｖ６、Ｕ６、Ｔ６はそれぞれ独立に水素原子、メチル基、トリフルオロメチル基よりなる群から選択される１種を示し、Ｚ６、Ｗ６はそれぞれ独立に直接結合、または　式：−ＮＨＣＯ−、−ＣＯＮＨ−、−ＣＯＯ−、−ＯＣＯ−で表される基よりなる群から選択される１種を示す。）
【請求項２２】
　下記化学式（１２）及び下記化学式（１３）で表される繰り返し単位を少なくとも１種含むポリイミドであって、
　化学式（１２）及び化学式（１３）で表される繰り返し単位の合計含有量が、全繰り返し単位に対して、８０モル％以上であり、
　Ｂ３が下記化学式（１４）で表されるものである下記化学式（１２）または下記化学式（１３）の繰り返し単位を少なくとも２種含むことを特徴とするポリイミド。
　　【化１８−１】
（式中、Ｂ３は芳香族ジアミンまたは脂肪族ジアミンからアミノ基を除いた２価の基である。）
　　【化１９−１】
（式中、Ｂ３は芳香族ジアミンまたは脂肪族ジアミンからアミノ基を除いた２価の基である。）
　　【化２０】
（式中、ｍ６及びｎ６は０以上の整数であって、ｍ６は０〜３を、ｎ６は０〜３をそれぞれ独立に示す（但し、ｍ６及びｎ６が共に０である場合は除く。）。Ｖ６、Ｕ６、Ｔ６はそれぞれ独立に水素原子、メチル基、トリフルオロメチル基よりなる群から選択される１種を示し、Ｚ６、Ｗ６はそれぞれ独立に直接結合、または　式：−ＮＨＣＯ−、−ＣＯＮＨ−、−ＣＯＯ−、−ＯＣＯ−で表される基よりなる群から選択される１種を示す。）
【請求項２３】
　前記化学式（１２）で表される繰り返し単位の合計含有量が、全繰り返し単位に対して、５０モル％以上であり、且つ、
　前記化学式（１３）で表される繰り返し単位の合計含有量が、全繰り返し単位に対して、３０モル％以上であることを特徴とする請求項２１又は２２に記載のポリイミド。
【請求項２４】
　請求項１〜１６のいずれかに記載のポリイミド前駆体から得られるポリイミド。
【請求項２５】
　請求項１〜１６のいずれかに記載のポリイミド前駆体から得られるポリイミドフィルム。
【請求項２６】
　下記化学式（８）で表される繰り返し単位を少なくとも１種含み、化学式（８）で表される繰り返し単位の合計含有量が、全繰り返し単位に対して、５０モル％以上であるポリイミド、または下記化学式（１０）で表される繰り返し単位を少なくとも１種含み、化学式（１０）で表される繰り返し単位の合計含有量が、全繰り返し単位に対して、３０モル％以上であるポリイミド、または下記化学式（１２）及び下記化学式（１３）で表される繰り返し単位を少なくとも１種含み、化学式（１２）及び化学式（１３）で表される繰り返し単位の合計含有量が、全繰り返し単位に対して、８０モル％以上であるポリイミドであって、
　厚さ１０μｍのフィルムでの波長４００ｎｍにおける光透過率が、７５％以上であることを特徴とするポリイミド（但し、ｔｒａｎｓ−ｅｎｄｏ−ｅｎｄｏ異性体および／またはｃｉｓ−ｅｎｄｏ−ｅｎｄｏ異性体を含むノルボルナン−２−スピロ−α−シクロペンタノン−α’−スピロ−２’’−ノルボルナン−５，５’’，６，６’’−テトラカルボン酸またはその誘導体と４，４’−ジアミノベンズアニリドを反応させて得られたポリイミドは除く。）。
　　【化２１】
（式中、Ｂ１は芳香族ジアミンまたは脂肪族ジアミンからアミノ基を除いた２価の基である。）
　　【化２２】
（式中、Ｂ２は芳香族ジアミンまたは脂肪族ジアミンからアミノ基を除いた２価の基である。）
　　【化２３】
（式中、Ｂ３は芳香族ジアミンまたは脂肪族ジアミンからアミノ基を除いた２価の基である。）
　　【化２４】
（式中、Ｂ３は芳香族ジアミンまたは脂肪族ジアミンからアミノ基を除いた２価の基である。）
【請求項２７】
　下記化学式（８）で表される繰り返し単位を少なくとも１種含み、化学式（８）で表される繰り返し単位の合計含有量が、全繰り返し単位に対して、５０モル％以上であるポリイミド、または下記化学式（１０）で表される繰り返し単位を少なくとも１種含み、化学式（１０）で表される繰り返し単位の合計含有量が、全繰り返し単位に対して、３０モル％以上であるポリイミド、または下記化学式（１２）及び下記化学式（１３）で表される繰り返し単位を少なくとも１種含み、化学式（１２）及び化学式（１３）で表される繰り返し単位の合計含有量が、全繰り返し単位に対して、８０モル％以上であるポリイミドであって、
　窒素気流中、昇温速度１０℃／分で２５℃から６００℃まで昇温したときの５％重量減少温度が、４９０℃以上であることを特徴とするポリイミド。
　　【化２５】
（式中、Ｂ１は芳香族ジアミンまたは脂肪族ジアミンからアミノ基を除いた２価の基である。）
　　【化２６】
（式中、Ｂ２は芳香族ジアミンまたは脂肪族ジアミンからアミノ基を除いた２価の基である。）
　　【化２７】
（式中、Ｂ３は芳香族ジアミンまたは脂肪族ジアミンからアミノ基を除いた２価の基である。）
　　【化２８】
（式中、Ｂ３は芳香族ジアミンまたは脂肪族ジアミンからアミノ基を除いた２価の基である。）
【請求項２８】
　請求項１〜１６のいずれかに記載のポリイミド前駆体、又は請求項１７〜２４、２６、２７のいずれかに記載のポリイミドを含むワニス。
【請求項２９】
　請求項１〜１６のいずれかに記載のポリイミド前駆体、又は請求項１７〜２４、２６、２７のいずれかに記載のポリイミドを含むワニスを用いて得られたポリイミドフィルム。
【請求項３０】
　請求項１〜１６のいずれかに記載のポリイミド前駆体から得られるポリイミド、又は請求項１７〜２４、２６、２７のいずれかに記載のポリイミドによって形成されたことを特徴とするディスプレイ用、タッチパネル用、または太陽電池用の基板。」
　
２　取消理由（決定の予告）の概要
　取消理由（決定の予告）の概要は、平成２９年６月２０日にされた訂正の請求による訂正後の本件特許の請求項１、３、４、６、８、９、１１、１３、１４、１６ないし２６、２８ないし３０に係る発明は、本件特許の最先の優先日より前である平成２４年８月３１日に出願された特許出願である特願２０１２−１９１７３１号（特許異議申立人が提出した甲第１号証である。以下「先願」という。その内容は、特許異議申立人が提出した甲第２号証である国際公開第２０１４／０３４７６０号として公開された。）の願書に最初に添付された明細書、特許請求の範囲又は図面（以下、「先願明細書等」という。）に記載された発明と同一又は実質的に同一であり、しかも、本件特許の発明者が先願の発明者と同一ではなく、また本件特許の出願時において、本件特許の出願人が先願の出願人と同一でもないので、それらに係る特許は、特許法第２９条の２の規定に違反してされたものであるから、それらの特許は取り消すべきものである、というものである。
３　特許異議申立書に記載した特許異議申立理由
　特許異議申立書に記載した特許異議申立理由は、平成２９年６月２０日にされた訂正の請求による訂正前の本件特許の請求項１ないし３０に係る発明は、先願明細書等に記載された発明と実質的に同一であり、しかも、本件特許の発明者が先願の発明者と同一ではなく、また本件特許の出願時において、本件特許の出願人が先願の出願人と同一でもないので、それらに係る特許は、特許法第２９条の２の規定に違反してされたものであるから、その特許は取り消すべきものである、というものである。
　また、特許異議申立書に添付された証拠方法は次のとおりである。
　甲第１号証：特願２０１２−１９１７３１号
　甲第２号証：国際公開第２０１４／０３４７６０号
　甲第３号証：「ポリイミド・芳香族高分子　最近の進歩　２０１３年（”第２０回日本ポリイミド・芳香族高分子会議”の議事録）」、平成２５年８月３１日　第１版第１刷発行、第１７５〜１８３頁
　なお、甲第３号証は、訂正前の本件特許の請求項２６に係る発明で規定されるポリイミドの光透過率に関する証拠として提出されたものである。
４　取消理由（決定の予告）及び特許異議申立書に記載した特許異議申立理由についての判断
　取消理由（決定の予告）及び特許異議申立書に記載した特許異議申立理由は、いずれも、先願明細書等（甲第２号証）に記載された発明に基づく特許法第２９条の２の規定違反であるので、併せて検討する。
　
（１）先願発明
　先願明細書等の記載（甲第２号証である国際公開第２０１４／０３４７６０号の【請求項１】ないし【請求項４】、【０００２】、【０００４】、【０００９】ないし【００１１】、【００１２】、【００２５】、【００２６】、【００３５】ないし【００３９】、【００４２】、【００４３】、【００４８】、【００５２】、【００５５】ないし【００６２】、【００６５】、【０１４６】ないし【０１７８】、【０１８７】、【０１９２】、【０１９６】、【０１９７】ないし【０２３２】、【０２３３】及び【０２３４】等）を整理すると、先願明細書等には、次の発明が記載されていると認める。
＜先願発明１＞
　「一般式（７）及び（８）の総量が９０モル％以上である脂環式テトラカルボン酸二無水物と、
一般式（１４）で表される芳香族ジアミンとを反応させて得られた、
一般式（１５）及び（１６）： 
　［一般式（１５）及び（１６）中、Ｒ１、Ｒ２、Ｒ３は、それぞれ独立に、水素原子、炭素数１〜１０のアルキル基及びフッ素原子よりなる群から選択される１種を示し、Ｒ４は炭素数６〜４０のアリール基を示し、ｎは０〜１２の整数を示す。] 
で表される繰り返し単位を、モル比１：２〜２：１で含有し、一般式（１５）及び（１６）で表される繰り返し単位の総量が全繰り返し単位に対して９０モル％以上であるポリアミド酸であって、 
　一般式（１４）中のＲ４が、
（ｉ）一般式（５）で表される基（式（５）中、Ｒ５は 、水素原子、フッ素原子、メチル基、エチル基及びトリフルオロメチル基よりなる群から選択される１種を示す。）；及び前記Ｑが−ＣＯＮＨ−、−ＣＯＯ−、−ＣＯ−、−Ｃ６Ｈ４−で表される基のうちの少なくとも１種である一般式（６）で表される基；
からなる群から選択される１種の基である芳香族ジアミン（以下「第１群の芳香族ジアミン」という。）からアミノ基を除いた２価の基と、
（ｉｉ）一般式（３）で表される基；及び前記Ｑが−Ｏ−、−Ｓ−、−ＣＨ２−、−Ｏ−Ｃ６Ｈ４−Ｏ−で表される基のうちの１種である一般式（６）で表される基； 
からなる群から選択される１種の基である芳香族ジアミン（以下「第２群の芳香族ジアミン」という。）からアミノ基を除いた２価の基と、 
を少なくとも含有するものである、ポリアミド酸。」（取消理由（決定の予告）における「先願発明２」である。以下、改めて「先願発明１」という。） 
＜先願発明２＞
　「一般式（２０）及び（２１）
で表される化合物を、６３：３７又は６４：３６のモルで含有し、一般式（２０）及び（２１）で表される化合物の合計の含有比率が９９モル％であるテトラカルボン酸二無水物と、４，４’−ジアミノベンズアニリド（ＤＡＢＡＮ）を反応させて得られたポリイミドであって、厚み５０μｍのフィルムでの全光線透過率が８７．４％又は８７．５％である、ポリイミド。」（取消理由（決定の予告）における「先願発明３」である。以下、改めて「先願発明２」という。）
（２）対比・判断
ア　本件特許発明１について
（ア）対比
　本件特許発明１と先願発明１を対比するに、両者は次の点で一致する。
＜一致点＞
　「下記化学式（１）（注：式の摘記は省略する。以降の化学式においても同様。）で表される繰り返し単位を少なくとも１種含むポリイミド前駆体であって、Ａ１が芳香族ジアミンからアミノ基を除いた２価の基である、化学式（１）の繰り返し単位を少なくとも２種含む、ポリイミド前駆体。」 
　そして、少なくとも次の点で相違する。
＜相違点１＞ 
　Ａ１である芳香族ジアミンからアミノ基を除いた２価の基について、本件特許発明１においては、「Ａ１が下記化学式（２）で表されるものである下記化学式（１）の繰り返し単位を少なくとも２種含み、そのうちの１種が、Ａ１がｍ１およびｎ１が０である下記化学式（２）で表されるものである下記化学式（１）の繰り返し単位であり、
　さらに、Ａ１が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（１）の繰り返し単位１種以上を、化学式（１）で表される全繰り返し単位中、２０モル％未満の割合で含む」と特定しているのに対して、先願発明１においては、「第１群の芳香族ジアミンからアミノ基を除いた基と第２群の芳香族ジアミンからアミノ基を除いた基と、を少なくとも含有する」と特定している点。 
 
（イ）判断
　相違点１に係る本件特許発明１の発明特定事項は、「Ａ１が下記化学式（２）で表されるものである下記化学式（１）の繰り返し単位を少なくとも２種含み、そのうちの１種が、Ａ１がｍ１およびｎ１が０である下記化学式（２）で表されるものである下記化学式（１）の繰り返し単位」であることを特定した上で、さらに、「Ａ１が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（１）の繰り返し単位１種以上を、化学式（１）で表される全繰り返し単位中、２０モル％未満の割合で含む」と特定するものであるが、先願明細書等には、そのようなものは具体的には記載されていないし、示唆もされていない。
　したがって、本件特許発明１は先願発明１と少なくとも相違点１で相違し、本件特許発明１は先願発明１と同一であるとはいえないし、実質同一であるともいえない。
イ　本件特許発明２について
（ア）対比
　本件特許発明２と先願発明１を対比するに、両者は次の点で一致する。
＜一致点＞
　「下記化学式（１）で表される繰り返し単位を少なくとも１種含むポリイミド前駆体であって、Ａ１が芳香族ジアミンからアミノ基を除いた２価の基である、化学式（１）の繰り返し単位を少なくとも２種含む、ポリイミド前駆体。」 
　そして、少なくとも次の点で相違する。
＜相違点２＞ 
　Ａ１である芳香族ジアミンからアミノ基を除いた２価の基について、本件特許発明２においては、「Ａ１が下記化学式（２）で表されるものである下記化学式（１）の繰り返し単位を少なくとも２種含むことを特徴とするポリイミド前駆体。
　　【化１−１】
（略）
（式中、Ａ１は芳香族ジアミンまたは脂肪族ジアミンからアミノ基を除いた２価の基であり、Ｘ１、Ｙ１はそれぞれ独立に水素、炭素数１〜６のアルキル基、または炭素数３〜９のアルキルシリル基である。）
　　【化２】
（略）
（式中、ｍ１及びｎ１は０以上の整数であって、ｍ１は０〜３を、ｎ１は０〜３をそれぞれ独立に示す（但し、ｍ１及びｎ１が共に０である場合は除く。）。Ｖ１、Ｕ１、Ｔ１はそれぞれ独立に水素原子、メチル基、トリフルオロメチル基よりなる群から選択される１種を示し、Ｚ１、Ｗ１はそれぞれ独立に直接結合、または　式：−ＮＨＣＯ−、−ＣＯＮＨ−、−ＣＯＯ−、−ＯＣＯ−で表される基よりなる群から選択される１種を示す。）」と特定しているのに対して、先願発明１においては、「第１群の芳香族ジアミンからアミノ基を除いた基と第２群の芳香族ジアミンからアミノ基を除いた基と、を少なくとも含有する」と特定している点。 
 
（イ）判断
　相違点２に係る本件特許発明２の発明特定事項は、ｍ１及びｎ１が共に０である場合が除かれたものなので、先願明細書等には、そのようなものは具体的には記載されていないし、示唆もされていない。
　したがって、本件特許発明２は先願発明１と少なくとも相違点２で相違し、本件特許発明２は先願発明１と同一であるとはいえないし、実質同一であるともいえない。
ウ　本件特許発明３及び４について
　本件特許発明３及び４は、請求項２を直接又は間接的に引用しており、本件特許発明２と同様に、少なくとも相違点２に係る本件特許発明２の発明特定事項を有しているので、先願発明１と同一であるとはいえないし、実質同一であるともいえない。
エ　本件特許発明５について
（ア）対比
　本件特許発明５と先願発明１を対比するに、両者は次の点で一致する。
＜一致点＞
　「下記化学式（１）で表される繰り返し単位を少なくとも１種含むポリイミド前駆体であって、Ａ１が芳香族ジアミンからアミノ基を除いた２価の基である、化学式（１）の繰り返し単位を少なくとも２種含む、ポリイミド前駆体。」 
　そして、少なくとも次の点で相違する。
＜相違点５＞
　本件特許発明５においては、「繰り返し単位（１−１）として、Ａ１が下記化学式（Ｄ−１）〜（Ｄ−３）のいずれかで表されるものである下記化学式（１）の繰り返し単位を少なくとも１種含み、
　繰り返し単位（１−２）として、Ａ１が下記化学式（Ｄ−４）〜（Ｄ−６）のいずれかで表されるものである下記化学式（１）の繰り返し単位を少なくとも１種含む」と特定されているのに対して、先願発明１においては、そうでない点。
（イ）判断
　先願明細書等には、「化学式（Ｄ−１）〜（Ｄ−３）」と「化学式（Ｄ−４）から（Ｄ−６）」という具体的な化合物を組み合わせて使用することについては、記載も示唆もない。 
　したがって、本件特許発明５は先願発明１と少なくとも相違点５で相違し、本件特許発明５は、先願発明１と同一であるとはいえないし、実質同一であるともいえない。
オ　本件特許発明６について
（ア）対比
　本件特許発明６と先願発明１を対比するに、両者は次の点で一致する。
＜一致点＞
　「下記化学式（３）で表される繰り返し単位を少なくとも１種含むポリイミド前駆体であって、Ａ２が芳香族ジアミンからアミノ基を除いた２価の基である、化学式（３）の繰り返し単位を少なくとも２種含む、ポリイミド前駆体。」 
　そして、少なくとも次の点で相違する。
＜相違点６＞ 
　Ａ２である芳香族ジアミンからアミノ基を除いた２価の基について、本件特許発明６においては、「Ａ２が下記化学式（４）で表されるものである下記化学式（３）の繰り返し単位を少なくとも２種含み、そのうちの１種が、Ａ２がｍ２およびｎ２が０である下記化学式（４）で表されるものである下記化学式（３）の繰り返し単位であり、
　さらに、Ａ２が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（１）の繰り返し単位１種以上を、化学式（３）で表される全繰り返し単位中、２０モル％未満の割合で含む」と特定しているのに対して、先願発明１においては、「第１群の芳香族ジアミンからアミノ基を除いた基と第２群の芳香族ジアミンからアミノ基を除いた基と、を少なくとも含有する」と特定している点。 
 
（イ）判断
　相違点６に係る本件特許発明１の発明特定事項は、「Ａ２が下記化学式（４）で表されるものである下記化学式（３）の繰り返し単位を少なくとも２種含み、そのうちの１種が、Ａ２がｍ２およびびｎ２が０である下記化学式（４）で表されるものである下記化学式（３）の繰り返し単位」であることを特定した上で、さらに、「Ａ２が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（３）の繰り返し単位１種以上を、化学式（３）で表される全繰り返し単位中、２０モル％未満の割合で含む」と特定するものであるが、先願明細書等には、そのようなものは具体的には記載されていないし、示唆もされていない。
　したがって、本件特許発明６は先願発明１と少なくとも相違点６で相違し、本件特許発明６は先願発明１と同一であるとはいえないし、実質同一であるともいえない。　
カ　本件特許発明７について
（ア）対比
　本件特許発明７と先願発明１を対比するに、両者は次の点で一致する。
＜一致点＞
　「下記化学式（３）で表される繰り返し単位を少なくとも１種含むポリイミド前駆体であって、Ａ２が芳香族ジアミンからアミノ基を除いた２価の基である、化学式（３）の繰り返し単位を少なくとも２種含む、ポリイミド前駆体。」 
　そして、少なくとも次の点で相違する。
＜相違点７＞ 
　Ａ２である芳香族ジアミンからアミノ基を除いた２価の基について、本件特許発明７においては、「Ａ２が下記化学式（４）で表されるものである下記化学式（３）の繰り返し単位を少なくとも２種含むことを特徴とするポリイミド前駆体。
　　【化５−１】
（略）
（式中、Ａ１２芳香族ジアミンまたは脂肪族ジアミンからアミノ基を除いた２価の基であり、Ｘ２、Ｙ２はそれぞれ独立に水素、炭素数１〜６のアルキル基、または炭素数３〜９のアルキルシリル基である。）
　　【化６】
（略）
（式中、ｍ２及びｎ２は０以上の整数であって、ｍ２は０〜３を、ｎ２は０〜３をそれぞれ独立に示す（但し、ｍ２及びｎ２が共に０である場合は除く。）。Ｖ２、Ｕ２、Ｔ２はそれぞれ独立に水素原子、メチル基、トリフルオロメチル基よりなる群から選択される１種を示し、Ｚ２、Ｗ２はそれぞれ独立に直接結合、または　式：−ＮＨＣＯ−、−ＣＯＮＨ−、−ＣＯＯ−、−ＯＣＯ−で表される基よりなる群から選択される１種を示す。）」と特定しているのに対して、先願発明１においては、「第１群の芳香族ジアミンからアミノ基を除いた基と第２群の芳香族ジアミンからアミノ基を除いた基と、を少なくとも含有する」と特定している点。 
 
（イ）判断
　相違点７に係る本件特許発明７の発明特定事項は、ｍ２及びｎ２が共に０である場合が除かれたものなので、先願明細書等には、そのようなものは具体的には記載されていないし、示唆もされていない。
　したがって、本件特許発明７は先願発明１と少なくとも相違点７で相違し、本件特許発明７は先願発明１と同一であるとはいえないし、実質同一であるともいえない。
キ　本件特許発明８及び９について
　本件特許発明８及び９は、請求項７を直接又は間接的に引用しており、本件特許発明７と同様に、少なくとも相違点７に係る本件特許発明７の発明特定事項を有しているので、先願発明１と同一であるとはいえないし、実質同一であるともいえない。
ク　本件特許発明１０について
（ア）対比
　本件特許発明１０と先願発明１を対比するに、両者は次の点で一致する。
＜一致点＞
　「下記化学式（３）で表される繰り返し単位を少なくとも１種含むポリイミド前駆体であって、Ａ２が芳香族ジアミンからアミノ基を除いた２価の基である、化学式（３）の繰り返し単位を少なくとも２種含む、ポリイミド前駆体。」 
　そして、少なくとも次の点で相違する。
＜相違点１０＞
　本件特許発明１０においては、「繰り返し単位（１−１）として、Ａ３が下記化学式（Ｄ−１）〜（Ｄ−３）のいずれかで表されるものである下記化学式（１）の繰り返し単位を少なくとも１種含み、
　繰り返し単位（１−２）として、Ａ３が下記化学式（Ｄ−４）〜（Ｄ−６）のいずれかで表されるものである下記化学式（３）の繰り返し単位を少なくとも１種含む」と特定されているのに対して、先願発明１においては、そうでない点。
（イ）判断
　先願明細書等には、「化学式（Ｄ−１）〜（Ｄ−３）」と「化学式（Ｄ−４）から（Ｄ−６）」という具体的な化合物を組み合わせて使用することについては、記載も示唆もない。 
　したがって、本件特許発明１０は先願発明１と少なくとも相違点１０で相違し、本件特許発明１０は、先願発明１と同一であるとはいえないし、実質同一であるともいえない。
　
ケ　本件特許発明１１について
　本件特許発明１１と先願発明１とを対比するに、両者は次の点で一致する。
＜一致点＞
 「下記化学式（５）及び下記化学式（６）（注：式は省略）で表される繰り返し単位を少なくとも１種含むポリイミド前駆体であって、Ａ３が芳香族ジアミンからアミノ基を除いた２価の基である、化学式（５）又は化学式（６）の繰り返し単位を少なくとも２種含む、ポリイミド前駆体。」
　そして、少なくとも次の点で相違する。
＜相違点１１＞
　Ａ３である芳香族ジアミンからアミノ基を除いた２価の基について、本件特許発明１１においては、「Ａ３が下記化学式（７）で表されるものである下記化学式（５）または化学式（６）の繰り返し単位を少なくとも２種含み、そのうちの１種が、Ａ３がｍ３およびｎ３が０である下記化学式（７）で表されるものである下記化学式（５）または化学式（６）の繰り返し単位であり、
　さらに、Ａ３が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（５）または化学式（６）の繰り返し単位１種以上を、化学式（５）及び化学式（６）で表される全繰り返し単位中、２０モル％未満の割合で含む」と特定しているのに対して、先願発明１においては、「第１群の芳香族ジアミンからアミノ基を除いた基と第２群の芳香族ジアミンからアミノ基を除いた基と、を少なくとも含有する」と特定している点。
イ　判断 
  相違点１１に係る本件特許発明１１の発明特定事項は、「Ａ３が下記化学式（７）で表されるものである下記化学式（５）または下記化学式（６）の繰り返し単位を少なくとも２種含み、そのうちの１種が、Ａ３がｍ３およびｎ３が０である下記化学式（７）で表されるものである下記化学式（５）または下記化学式（６）の繰り返し単位」であることを特定した上で、さらに、「Ａ３が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（１）の繰り返し単位１種以上を、化学式（５）及び化学式（６）で表される全繰り返し単位中、２０モル％未満の割合で含む」と特定するものであるが、先願明細書等には、そのようなものは具体的には記載されていないし、示唆もされていない。
　したがって、本件特許発明１１は先願発明１と少なくとも相違点１１で相違し、本件特許発明１１は先願発明１と同一であるとはいえないし、実質同一であるともいえない。
コ　本件特許発明１２について
（ア）対比
　本件特許発明１２と先願発明１とを対比するに、両者は次の点で一致する。
＜一致点＞
 「下記化学式（５）及び下記化学式（６）で表される繰り返し単位を少なくとも１種含むポリイミド前駆体であって、Ａ３が芳香族ジアミンからアミノ基を除いた２価の基である、化学式（５）又は化学式（６）の繰り返し単位を少なくとも２種含む、ポリイミド前駆体。」
　そして、少なくとも次の点で相違する。
＜相違点１２＞
　Ａ３である芳香族ジアミンからアミノ基を除いた２価の基について、本件特許発明１２においては、「Ａ３が下記化学式（７）で表されるものである下記化学式（５）または下記化学式（６）の繰り返し単位を少なくとも２種含むことを特徴とするポリイミド前駆体。
　　【化９−１】
（略）
（式中、Ａ３は芳香族ジアミンまたは脂肪族ジアミンからアミノ基を除いた２価の基であり、Ｘ３、Ｙ３はそれぞれ独立に水素、炭素数１〜６のアルキル基、または炭素数３〜９のアルキルシリル基である。）
　　【化１０−１】
（略）
（式中、ｍ３及びｎ３は０以上の整数であって、ｍ３は０〜３を、ｎ３は０〜３をそれぞれ独立に示す（但し、ｍ３及びｎ３が共に０である場合は除く。）。Ｖ３、Ｕ３、Ｔ３はそれぞれ独立に水素原子、メチル基、トリフルオロメチル基よりなる群から選択される１種を示し、Ｚ３、Ｗ３はそれぞれ独立に直接結合、または　式：−ＮＨＣＯ−、−ＣＯＮＨ−、−ＣＯＯ−、−ＯＣＯ−で表される基よりなる群から選択される１種を示す。）」と特定しているのに対して、先願発明１においては、「第１群の芳香族ジアミンからアミノ基を除いた基と第２群の芳香族ジアミンからアミノ基を除いた基と、を少なくとも含有する」と特定している点。 
（イ）判断 
　相違点１２に係る本件特許発明１２の発明特定事項は、ｍ３及びｎ３が共に０である場合が除かれたものなので、先願明細書等には、そのようなものは具体的には記載されていないし、示唆もされていない。
　したがって、本件特許発明１２は先願発明１と少なくとも相違点１２で相違し、本件特許発明１２は先願発明１と同一であるとはいえないし、実質同一であるともいえない。
サ　本件特許発明１３及び１４について
　本件特許発明１３及び１４は、請求項１２を直接又は間接的に引用しており、本件特許発明１２と同様に、少なくとも相違点１２に係る本件特許発明２の発明特定事項を有しているので、本件特許発明１２と同様に、先願発明１と同一であるとはいえないし、実質同一であるともいえない。
シ　本件特許発明１５について
（ア）対比
　本件特許発明１５と先願発明１を対比するに、両者は次の点で一致する。
＜一致点＞
　「下記化学式（５）及び下記化学式（６）（注：式は省略）で表される繰り返し単位を少なくとも１種含むポリイミド前駆体であって、Ａ３が芳香族ジアミンからアミノ基を除いた２価の基である、化学式（５）又は化学式（６）の繰り返し単位を少なくとも２種含む、ポリイミド前駆体。」 
　そして、少なくとも次の点で相違する。
＜相違点１５＞
　本件特許発明１５においては、「繰り返し単位（１−１）として、Ａ３が下記化学式（Ｄ−１）〜（Ｄ−３）のいずれかで表されるものである下記化学式（１）の繰り返し単位を少なくとも１種含み、
　繰り返し単位（１−２）として、Ａ３が下記化学式（Ｄ−４）〜（Ｄ−６）のいずれかで表されるものである下記化学式（１）の繰り返し単位を少なくとも１種含む」と特定されているのに対して、先願発明１においては、そうでない点。
（イ）判断
　先願明細書等には、「化学式（Ｄ−１）〜（Ｄ−３）」と「化学式（Ｄ−４）から（Ｄ−６）」という具体的な化合物を組み合わせて使用することについては、記載も示唆もない。 
　したがって、本件特許発明１５は先願発明１と少なくとも相違点１５で相違し、本件特許発明１５は、先願発明１と同一であるとはいえないし、実質同一であるともいえない。
ス　本件特許発明１６について
　本件特許発明１６は、請求項１１ないし１５を直接的に引用しており、本件特許発明１１ないし１５と同様に、少なくとも相違点１１、１２及び１５に係る本件特許発明１１、１２及び１５の発明特定事項のいずれかを有しているので、先願発明１と同一であるとはいえないし、実質同一であるともいえない。
セ　本件特許発明１７ないし２５
　上記アないしスのとおり、本件特許発明１ないし１６が先願発明１と同一又は実質同一であるとはいえないから、本件特許発明１ないし１６のいずれかから得られるポリイミドの発明である本件特許発明１７ないし２５が先願明細書等に記載された発明と同一又は実質同一であるともいえない。
ソ　本件特許発明２６について
（ア）対比
　本件特許発明２６と先願発明２を対比するに、両者は次の点で一致する。
＜一致点＞
　「下記化学式（８）で表される繰り返し単位を少なくとも１種含み、化学式（８）で表される繰り返し単位の合計含有量が、全繰り返し単位に対して、５０モル％以上であるポリイミド、または下記化学式（１０）で表される繰り返し単位を少なくとも１種含み、化学式（１０）で表される繰り返し単位の合計含有量が、全繰り返し単位に対して、３０モル％以上であるポリイミド、または下記化学式（１２）及び下記化学式（１３）で表される繰り返し単位を少なくとも１種含み、化学式（１２）及び化学式（１３）で表される繰り返し単位の合計含有量が、全繰り返し単位に対して、８０モル％以上であるポリイミド。」
　そして、少なくとも次の点で相違する。
＜相違点２６＞ 
　本件特許発明２６においては、「ポリイミド」に関して、「但し、ｔｒａｎｓ−ｅｎｄｏ−ｅｎｄｏ異性体および／またはｃｉｓ−ｅｎｄｏ−ｅｎｄｏ異性体を含むノルボルナン−２−スピロ−α−シクロペンタノン−α’−スピロ−２’’−ノルボルナン−５，５’’，６，６’’−テトラカルボン酸またはその誘導体と４，４’−ジアミノベンズアニリドを反応させて得られたポリイミドは除く」と特定されているのに対し、先願発明２においては、そのようには特定されていない点。
（イ）判断
　先願明細書等には、「ｔｒａｎｓ−ｅｎｄｏ−ｅｎｄｏ異性体および／またはｃｉｓ−ｅｎｄｏ−ｅｎｄｏ異性体を含むノルボルナン−２−スピロ−α−シクロペンタノン−α’−スピロ−２’’−ノルボルナン−５，５’’，６，６’’−テトラカルボン酸またはその誘導体と４，４’−ジアミノベンズアニリドを反応させて得られたポリイミド」を除いたポリイミドは記載されていないし、示唆もされていない。また、この点は、甲第３号証にも記載も示唆もされていない。
　したがって、甲第３号証の記載を参酌しても、本件特許発明２６は先願発明２と少なくとも相違点２６で相違し、本件特許発明２６は先願発明２と同一であるとはいえないし、実質同一であるともいえない。
タ  本件特許発明２７について
（ア）対比
　本件特許発明２７と先願発明２を対比するに、両者は次の点で一致する。
＜一致点＞
　「下記化学式（８）で表される繰り返し単位を少なくとも１種含み、化学式（８）で表される繰り返し単位の合計含有量が、全繰り返し単位に対して、５０モル％以上であるポリイミド、または下記化学式（１０）で表される繰り返し単位を少なくとも１種含み、化学式（１０）で表される繰り返し単位の合計含有量が、全繰り返し単位に対して、３０モル％以上であるポリイミド、または下記化学式（１２）及び下記化学式（１３）で表される繰り返し単位を少なくとも１種含み、化学式（１２）及び化学式（１３）で表される繰り返し単位の合計含有量が、全繰り返し単位に対して、８０モル％以上であるポリイミド。」
　そして、少なくとも次の点で相違する。
＜相違点２７＞ 
　本件特許発明２７においては、「窒素気流中、昇温速度１０℃／分で２５℃から６００℃まで昇温したときの５％重量減少温度が、４９０℃以上である」と特定されているのに対し、先願発明２においては、そのようには特定されていない点。
（イ）判断
　先願明細書等には、「窒素気流中、昇温速度１０℃／分で２５℃から６００℃まで昇温したときの５％重量減少温度が、４９０℃以上である」ポリイミドは記載されていないし、示唆もされていない。
　したがって、本件特許発明２７は先願発明２と少なくとも相違点２７で相違し、本件特許発明２７は先願発明２と同一であるとはいえないし、実質同一であるともいえない。
チ　本件特許発明２８ないし３０について
　上記アないしタのとおり、本件特許発明１ないし１６、１７ないし２４、２６及び２７が先願発明１又は２と同一又は実質同一であるとはいえないから、それらから得られる発明である本件特許発明２８ないし３０も先願明細書等に記載された発明と同一又は実質同一であるとはいえない。
（４）むすび
　したがって、本件特許発明１ないし３０は、先願明細書等に記載された発明と同一又は実質同一であるとはいえず、それらに係る特許は、特許法第２９条の２の規定に違反してされたものであるとはいえない。
　なお、平成２９年１２月１８日に特許異議申立人が提出した意見書を検討したが、この判断は左右されない。　
第４　結語
　上記第３のとおりであるから、請求項１ないし３０に係る特許は、取消理由（決定の予告）及び特許異議申立書に記載した特許異議申立理由によっては、取り消すことはできない。
　また、他に請求項１ないし３０に係る特許を取り消すべき理由を発見しない。
　よって、結論のとおり決定する。
【異議決定日】
平成３０年１月２４日（２０１８．１．２４）
【訂正の要旨】
審決（決定）の【理由】欄参照。
（５７）【特許請求の範囲】
　【請求項１】
　下記化学式（１）で表される繰り返し単位を少なくとも１種含むポリイミド前駆体であって、
　化学式（１）で表される繰り返し単位の合計含有量が、全繰り返し単位に対して、５０モル％以上であ
り、
　
Ａ１が下記化学式（２）で表されるものである下記化学式（１）の繰り返し単位を少なくとも２種含み、そのうちの１種が、Ａ１がｍ１およびｎ１が０である下記化学式（２）で表されるものである下記化学式（１）の繰り返し単位であり、
　
さらに、Ａ１が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（１）の繰り返し単位１種以上を、化学式（１）で表される全繰り返し単位中、２０モル％未満の割合で含む
　【化１】
（式中、Ａ１は芳香族ジアミンまたは脂肪族ジアミンからアミノ基を除いた２価の基であり、Ｘ１、Ｙ１はそれぞれ独立に水素、炭素数１〜６のアルキル基、または炭素数３〜９のアルキルシリル基である。）
　【化２−１】
（式中、ｍ１及びｎ１は０以上の整数であって、ｍ１は０〜３を、ｎ１は０〜３をそれぞれ独立に示す。Ｖ１、Ｕ１、Ｔ１はそれぞれ独立に水素原子、メチル基、トリフルオロメチル基よりなる群から選択される１種を示し、Ｚ１、Ｗ１はそれぞれ独立に直接結合、または　式：−ＮＨＣＯ−、−ＣＯＮＨ−、−ＣＯＯ−、−ＯＣＯ−で表される基よりなる群から選択される１種を示す。）
　【請求項２】
　
下記化学式（１）で表される繰り返し単位を少なくとも１種含むポリイミド前駆体であって、
　
化学式（１）で表される繰り返し単位の合計含有量が、全繰り返し単位に対して、５０モル％以上であり、
　Ａ１が下記化学式（２）で表されるものである
下記
２種
るポ
　【化１−１】
（式中、Ａ１は芳香族ジアミンまたは脂肪族ジアミンからアミノ基を除いた２価の基であり、Ｘ１、Ｙ１はそれぞれ独立に水素、炭素数１〜６のアルキル基、または炭素数３〜９のアルキルシリル基である。）
　【化２】
（式中、ｍ１及びｎ１は０以上の整数であって、ｍ１は０〜３を、ｎ１は０〜３をそれぞれ独立に示す
（但し、ｍ１及びｎ１が共に０である場合は除く。）
　【請求項３】
　Ａ１が前記化学式（２）で表されるものである前記化学式（１）の繰り返し単位を少なくとも２種含
み、そのうちの１種が、Ａ１が、ｍ１および／またはｎ１が１〜３であり、Ｚ１および／またはＷ１が、それぞれ独立に、−ＮＨＣＯ−、−ＣＯＮＨ−、−ＣＯＯ−、または−ＯＣＯ−のいずれかである前記化学式（２）の構造である前記化学式（１）の繰り返し単位（１−１）である
　【請求項４】
　（ｉ）Ａ１が、ｍ１および／またはｎ１が１〜３であり、Ｚ１および／またはＷ１が、それぞれ独立に、−ＮＨＣＯ−、−ＣＯＮＨ−、−ＣＯＯ−、または−ＯＣＯ−のいずれかである前記化学式（２）の構造である前記化学式（１）の繰り返し単位（１−１）を少なくとも１種含み、
　（ｉｉ）Ａ１が
、ｍ１
　【請求項５】
　
下記化学式（１）で表される繰り返し単位を少なくとも１種含むポリイミド前駆体であって、
　
化学式（１）で表される繰り返し単位の合計含有量が、全繰り返し単位に対して、５０モル％以上であり、
　
繰
として
下記
を少なくとも１種含み
　
繰
として
下記
を少なくとも１種含む
るポ
　
【化１−２】
（式中、Ａ１は芳香族ジアミンまたは脂肪族ジアミンからアミノ基を除いた２価の基であり、Ｘ１、Ｙ１はそれぞれ独立に水素、炭素数１〜６のアルキル基、または炭素数３〜９のアルキルシリル基である。）
　【化３】
　【化４】
　【請求項６】
　下記化学式（３）で表される繰り返し単位を少なくとも１種含むポリイミド前駆体であって、
　化学式（３）で表される繰り返し単位の合計含有量が、全繰り返し単位に対して、３０モル％以上であ
り、
　
Ａ２が下記化学式（４）で表されるものである下記化学式（３）の繰り返し単位を少なくとも２種含み、そのうちの１種が、Ａ２がｍ２およびｎ２が０である下記化学式（４）で表されるものである下記化学式（３）の繰り返し単位であり、
　
さらに、Ａ２が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル−２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（３）の繰り返し単位１種以上を、化学式（３）で表される全繰り返し単位中、２０モル％未満の割合で含む
　【化５】
（式中、Ａ２は芳香族ジアミンまたは脂肪族ジアミンからアミノ基を除いた２価の基であり、Ｘ２、Ｙ２はそれぞれ独立に水素、炭素数１〜６のアルキル基、または炭素数３〜９のアルキルシリル基である。）
　【化６−１】
（式中、ｍ２及びｎ２は０以上の整数であって、ｍ２は０〜３を、ｎ２は０〜３をそれぞれ独立に示す。Ｖ２、Ｕ２、Ｔ２はそれぞれ独立に水素原子、メチル基、トリフルオロメチル基よりなる群から選択される１種を示し、Ｚ２、Ｗ２はそれぞれ独立に直接結合、または　式：−ＮＨＣＯ−、−ＣＯＮＨ−、−ＣＯＯ−、−ＯＣＯ−で表される基よりなる群から選択される１種を示す。）
　【請求項７】
　
下記化学式（３）で表される繰り返し単位を少なくとも１種含むポリイミド前駆体であって、
　
化学式（３）で表される繰り返し単位の合計含有量が、全繰り返し単位に対して、３０モル％以上であり、
　Ａ２が下記化学式（４）で表されるものである
下記
２種
るポ
　【化５−１】
（式中、Ａ２は芳香族ジアミンまたは脂肪族ジアミンからアミノ基を除いた２価の基であり、Ｘ２、Ｙ２はそれぞれ独立に水素、炭素数１〜６のアルキル基、または炭素数３〜９のアルキルシリル基である。）
　【化６】
（式中、ｍ２及びｎ２は０以上の整数であって、ｍ２は０〜３を、ｎ２は０〜３をそれぞれ独立に示す
（但し、ｍ２及びｎ２が共に０である場合は除く。）
　【請求項８】
　Ａ２が前記化学式（４）で表されるものである前記化学式（３）の繰り返し単位を少なくとも２種含
み、そのうちの１種が、Ａ２が、ｍ２および／またはｎ２が１〜３であり、Ｚ２および／またはＷ２が、それぞれ独立に、−ＮＨＣＯ−、−ＣＯＮＨ−、−ＣＯＯ−、または−ＯＣＯ−のいずれかである前記化学式（４）の構造である前記化学式（３）の繰り返し単位（３−１）である
　【請求項９】
　（ｉ）Ａ２が、ｍ２および／またはｎ２が１〜３であり、Ｚ２および／またはＷ２が、それぞれ独立に、−ＮＨＣＯ−、−ＣＯＮＨ−、−ＣＯＯ−、または−ＯＣＯ−のいずれかである前記化学式（４）の構造である前記化学式（３）の繰り返し単位（３−１）を少なくとも１種含み、
　（ｉｉ）Ａ２が
、ｍ２
　【請求項１０】
　
下記化学式（３）で表される繰り返し単位を少なくとも１種含むポリイミド前駆体であって、
　
化学式（３）で表される繰り返し単位の合計含有量が、全繰り返し単位に対して、３０モル％以上であり、
　
繰
として
下記
を少なくとも１種含み
　
繰
として
下記
を少なくとも１種含む
るポ
　【化５−２】
（式中、Ａ２は芳香族ジアミンまたは脂肪族ジアミンからアミノ基を除いた２価の基であり、Ｘ２、Ｙ２はそれぞれ独立に水素、炭素数１〜６のアルキル基、または炭素数３〜９のアルキルシリル基である。）
　【化７】
　【化８】
　【請求項１１】
　下記化学式（５）及び下記化学式（６）で表される繰り返し単位を少なくとも１種含むポリイミド前駆体であって、
　化学式（５）及び化学式（６）で表される繰り返し単位の合計含有量が、全繰り返し単位に対して、８０モル％以上であ
り、
　
Ａ３が下記化学式（７）で表されるものである下記化学式（５）または下記化学式（６）の繰り返し単位を少なくとも２種含み、そのうちの１種が、Ａ３がｍ３およびｎ３が０である下記化学式（７）で表されるものである下記化学式（５）または下記化学式（６）の繰り返し単位であり、
　
さらに、Ａ３が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（５）または下記化学式（６）の繰り返し単位１種以上を、化学式（５）及び化学式（６）で表される全繰り返し単位中、２０モル％未満の割合で含む
　【化９】
（式中、Ａ３は芳香族ジアミンまたは脂肪族ジアミンからアミノ基を除いた２価の基であり、Ｘ３、Ｙ３はそれぞれ独立に水素、炭素数１〜６のアルキル基、または炭素数３〜９のアルキルシリル基である。）
　【化１０】
（式中、Ａ３は芳香族ジアミンまたは脂肪族ジアミンからアミノ基を除いた２価の基であり、Ｘ４、Ｙ４はそれぞれ独立に水素、炭素数１〜６のアルキル基、または炭素数３〜９のアルキルシリル基である。）
　【化１１−１】
（式中、ｍ３及びｎ３は０以上の整数であって、ｍ３は０〜３を、ｎ３は０〜３をそれぞれ独立に示す。Ｖ３、Ｕ３、Ｔ３はそれぞれ独立に水素原子、メチル基、トリフルオロメチル基よりなる群から選択される１種を示し、Ｚ３、Ｗ３はそれぞれ独立に直接結合、または　式：−ＮＨＣＯ−、−ＣＯＮＨ−、−ＣＯＯ−、−ＯＣＯ−で表される基よりなる群から選択される１種を示す。）
　【請求項１２】
　
下記化学式（５）及び下記化学式（６）で表される繰り返し単位を少なくとも１種含むポリイミド前駆体であって、
　
化学式（５）及び化学式（６）で表される繰り返し単位の合計含有量が、全繰り返し単位に対して、８０モル％以上であり、
　Ａ３が下記化学式（７）で表されるものである
下記
）ま
は下記
２種
るポ
　【化９−１】
（式中、Ａ３は芳香族ジアミンまたは脂肪族ジアミンからアミノ基を除いた２価の基であり、Ｘ３、Ｙ３はそれぞれ独立に水素、炭素数１〜６のアルキル基、または炭素数３〜９のアルキルシリル基である。）
　【化１０−１】
（式中、Ａ３は芳香族ジアミンまたは脂肪族ジアミンからアミノ基を除いた２価の基であり、Ｘ４、Ｙ４はそれぞれ独立に水素、炭素数１〜６のアルキル基、または炭素数３〜９のアルキルシリル基である。）
　【化１１】
（式中、ｍ３及びｎ３は０以上の整数であって、ｍ３は０〜３を、ｎ３は０〜３をそれぞれ独立に示す
（但し、ｍ３及びｎ３が共に０である場合は除く。）
　【請求項１３】
　Ａ３が前記化学式（７）で表されるものである前記化学式（５）または前記化学式（６）の繰り返し単位を少なくとも２種含
み、そのうちの１種が、Ａ３が、ｍ３および／またはｎ３が１〜３であり、Ｚ３および／またはＷ３が、それぞれ独立に、−ＮＨＣＯ−、−ＣＯＮＨ−、−ＣＯＯ−、または−ＯＣＯ−のいずれかである前記化学式（７）の構造である前記化学式（５）または（６）の繰り返し単位（５−１）である
　【請求項１４】
　（ｉ）Ａ３が、ｍ３および／またはｎ３が１〜３であり、Ｚ３および／またはＷ３が、それぞれ独立に、−ＮＨＣＯ−、−ＣＯＮＨ−、−ＣＯＯ−、または−ＯＣＯ−のいずれかである前記化学式（７）の構造である前記化学式（５）または（６）の繰り返し単位（５−１）を少なくとも１種含み、
　（ｉｉ）Ａ３が
、ｍ３
　【請求項１５】
　
下記化学式（５）及び下記化学式（６）で表される繰り返し単位を少なくとも１種含むポリイミド前駆体であって、
　
化学式（５）及び化学式（６）で表される繰り返し単位の合計含有量が、全繰り返し単位に対して、８０モル％以上であり、
　
繰
として
下記
を少なくとも１種含み
　
繰
として
下記
を少なくとも１種含む
るポ
　【化９−２】
（式中、Ａ３は芳香族ジアミンまたは脂肪族ジアミンからアミノ基を除いた２価の基であり、Ｘ３、Ｙ３はそれぞれ独立に水素、炭素数１〜６のアルキル基、または炭素数３〜９のアルキルシリル基である。）
　【化１０−２】
（式中、Ａ３は芳香族ジアミンまたは脂肪族ジアミンからアミノ基を除いた２価の基であり、Ｘ４、Ｙ４はそれぞれ独立に水素、炭素数１〜６のアルキル基、または炭素数３〜９のアルキルシリル基である。）
　【化１２】
　【化１３】
　【請求項１６】
　前記化学式（５）で表される繰り返し単位の合計含有量が、全繰り返し単位に対して、５０モル％以上であり、且つ、
　前記化学式（６）で表される繰り返し単位の合計含有量が、全繰り返し単位に対して、３０モル％以上であることを特徴とする請求項１１〜１５のいずれかに記載のポリイミド前駆体。
　【請求項１７】
　下記化学式（８）で表される繰り返し単位を少なくとも１種含むポリイミドであって、
　化学式（８）で表される繰り返し単位の合計含有量が、全繰り返し単位に対して、５０モル％以上であ
り、
　
Ｂ１が下記化学式（９）で表されるものである下記化学式（８）の繰り返し単位を少なくとも２種含み、そのうちの１種が、Ｂ１がｍ４およびｎ４が０である下記化学式（９）で表されるものである下記化学式（８）の繰り返し単位であり、
　
さらに、Ｂ１が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（８）の繰り返し単位１種以上を、化学式（８）で表される全繰り返し単位中、２０モル％未満の割合で含む
　【化１４】
（式中、Ｂ１は芳香族ジアミンまたは脂肪族ジアミンからアミノ基を除いた２価の基である。）
　【化１５−１】
（式中、ｍ４及びｎ４は０以上の整数であって、ｍ４は０〜３を、ｎ４は０〜３をそれぞれ独立に示す。Ｖ４、Ｕ４、Ｔ４はそれぞれ独立に水素原子、メチル基、トリフルオロメチル基よりなる群から選択される１種を示し、Ｚ４、Ｗ４はそれぞれ独立に直接結合、または　式：−ＮＨＣＯ−、−ＣＯＮＨ−、−ＣＯＯ−、−ＯＣＯ−で表される基よりなる群から選択される１種を示す。）
　【請求項１８】
　
下記化学式（８）で表される繰り返し単位を少なくとも１種含むポリイミドであって、
　
化学式（８）で表される繰り返し単位の合計含有量が、全繰り返し単位に対して、５０モル％以上であり、
　Ｂ１が下記化学式（９）で表されるものである
下記
２種
るポ
　【化１４−１】
（式中、Ｂ１は芳香族ジアミンまたは脂肪族ジアミンからアミノ基を除いた２価の基である。）
　【化１５】
（式中、ｍ４及びｎ４は０以上の整数であって、ｍ４は０〜３を、ｎ４は０〜３をそれぞれ独立に示す
（但し、ｍ４及びｎ４が共に０である場合は除く。）
　【請求項１９】
　下記化学式（１０）で表される繰り返し単位を少なくとも１種含むポリイミドであって、
　化学式（１０）で表される繰り返し単位の合計含有量が、全繰り返し単位に対して、３０モル％以上であ
り、
　
Ｂ２が下記化学式（１１）で表されるものである下記化学式（１０）の繰り返し単位を少なくとも２種含み、そのうちの１種が、Ｂ２がｍ５およびｎ５が０である下記化学式（１１）で表されるものである下記化学式（１０）の繰り返し単位であり、
　
さらに、Ｂ２が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（１０）の繰り返し単位１種以上を、化学式（１０）で表される全繰り返し単位中、２０モル％未満の割合で含む
　【化１６】
（式中、Ｂ２は芳香族ジアミンまたは脂肪族ジアミンからアミノ基を除いた２価の基である。）
　【化１７−１】
（式中、ｍ５及びｎ５は０以上の整数であって、ｍ５は０〜３を、ｎ５は０〜３をそれぞれ独立に示す。Ｖ５、Ｕ５、Ｔ５はそれぞれ独立に水素原子、メチル基、トリフルオロメチル基よりなる群から選択される１種を示し、Ｚ５、Ｗ５はそれぞれ独立に直接結合、または　式：−ＮＨＣＯ−、−ＣＯＮＨ−、−ＣＯＯ−、−ＯＣＯ−で表される基よりなる群から選択される１種を示す。）
　【請求項２０】
　
下記化学式（１０）で表される繰り返し単位を少なくとも１種含むポリイミドであって、
　
化学式（１０）で表される繰り返し単位の合計含有量が、全繰り返し単位に対して、３０モル％以上であり、
　Ｂ２が下記化学式（１１）で表されるものである
下記
２種
るポ
　【化１６−１】
（式中、Ｂ２は芳香族ジアミンまたは脂肪族ジアミンからアミノ基を除いた２価の基である。）
　【化１７】
（式中、ｍ５及びｎ５は０以上の整数であって、ｍ５は０〜３を、ｎ５は０〜３をそれぞれ独立に示す
（但し、ｍ５及びｎ５が共に０である場合は除く。）
　【請求項２１】
　下記化学式（１２）及び下記化学式（１３）で表される繰り返し単位を少なくとも１種含むポリイミドであって、
　化学式（１２）及び化学式（１３）で表される繰り返し単位の合計含有量が、全繰り返し単位に対して、８０モル％以上であ
り、
　Ｂ３が下記化学式（１４）で表されるものである下記化学式（１２）または下記化学式（１３）の繰り返し単位を少なくとも２種含み、そのうちの１種が、Ｂ３がｍ６およびｎ６が０である下記化学式（１４）で表されるものである下記化学式（１２）または下記化学式（１３）の繰り返し単位であり、
　
さらに、Ｂ３が、４，４’−オキシジアニリン、３，４’−オキシジアニリン、３，３’−オキシジアニリン、１，３−ビス（４−アミノフェノキシ）ベンゼン、１，３−ビス（３−アミノフェノキシ）ベンゼン、１，４−ビス（４−アミノフェノキシ）ベンゼン、４，４’−ビス（４−アミノフェノキシ）ビフェニル、４，４’−ビス（３−アミノフェノキシ）ビフェニル、２，２−ビス［４−（４−アミノフェノキシ）フェニル］ヘキサフルオロプロパン、３，３−ビス（（アミノフェノキシ）フェニル）プロパン、ビス（４−（４−アミノフェノキシ）ジフェニル）スルホン、またはビス（４−（３−アミノフェノキシ）ジフェニル）スルホンのいずれかからアミノ基を除いた２価の基である下記化学式（１２）または下記化学式（１３）の繰り返し単位１種以上を、化学式（１２）及び化学式（１３）で表される全繰り返し単位中、２０モル％未満の割合で含む
　【化１８】
（式中、Ｂ３は芳香族ジアミンまたは脂肪族ジアミンからアミノ基を除いた２価の基である。）
　【化１９】
（式中、Ｂ３は芳香族ジアミンまたは脂肪族ジアミンからアミノ基を除いた２価の基である。）
　【化２０−１】
（式中、ｍ６及びｎ６は０以上の整数であって、ｍ６は０〜３を、ｎ６は０〜３をそれぞれ独立に示す。Ｖ６、Ｕ６、Ｔ６はそれぞれ独立に水素原子、メチル基、トリフルオロメチル基よりなる群から選択される１種を示し、Ｚ６、Ｗ６はそれぞれ独立に直接結合、または　式：−ＮＨＣＯ−、−ＣＯＮＨ−、−ＣＯＯ−、−ＯＣＯ−で表される基よりなる群から選択される１種を示す。）
　【請求項２２】
　
下記化学式（１２）及び下記化学式（１３）で表される繰り返し単位を少なくとも１種含むポリイミドであって、
　
化学式（１２）及び化学式（１３）で表される繰り返し単位の合計含有量が、全繰り返し単位に対して、８０モル％以上であり、
　Ｂ３が下記化学式（１４）で表されるものである
下記
）ま
は下記
２種
るポ
　【化１８−１】
（式中、Ｂ３は芳香族ジアミンまたは脂肪族ジアミンからアミノ基を除いた２価の基である。）
　【化１９−１】
（式中、Ｂ３は芳香族ジアミンまたは脂肪族ジアミンからアミノ基を除いた２価の基である。）
　【化２０】
（式中、ｍ６及びｎ６は０以上の整数であって、ｍ６は０〜３を、ｎ６は０〜３をそれぞれ独立に示す
（但し、ｍ６及びｎ６が共に０である場合は除く。）
　【請求項２３】
　前記化学式（１２）で表される繰り返し単位の合計含有量が、全繰り返し単位に対して、５０モル％以上であり、且つ、
　前記化学式（１３）で表される繰り返し単位の合計含有量が、全繰り返し単位に対して、３０モル％以上であることを特徴とする請求項２１又は２２に記載のポリイミド。
　【請求項２４】
　請求項１〜１６のいずれかに記載のポリイミド前駆体から得られるポリイミド。
　【請求項２５】
　請求項１〜１６のいずれかに記載のポリイミド前駆体から得られるポリイミドフィルム。
　【請求項２６】
　
下記化学式（８）で表される繰り返し単位を少なくとも１種含み、化学式（８）で表される繰り返し単位の合計含有量が、全繰り返し単位に対して、５０モル％以上であるポリイミド、または下記化学式（１０）で表される繰り返し単位を少なくとも１種含み、化学式（１０）で表される繰り返し単位の合計含有量が、全繰り返し単位に対して、３０モル％以上であるポリイミド、または下記化学式（１２）及び下記化学式（１３）で表される繰り返し単位を少なくとも１種含み、化学式（１２）及び化学式（１３）で表される繰り返し単位の合計含有量が、全繰り返し単位に対して、８０モル％以上であるポリイミドであって、
　厚さ１０μｍのフィルムでの波長４００ｎｍにおける光透過率が、７５％以上であることを特徴とす
るポ
（但し、ｔｒａｎｓ−ｅｎｄｏ−ｅｎｄｏ異性体および／またはｃｉｓ−ｅｎｄｏ−ｅｎｄｏ異性体を含むノルボルナン−２−スピロ−α−シクロペンタノン−α’−スピロ−２’’−ノルボルナン−５，５’’，６，６’’−テトラカルボン酸またはその誘導体と４，４’−ジアミノベンズアニリドを反応させて得られたポリイミドは除く。）
　【化２１】
（式中、Ｂ１は芳香族ジアミンまたは脂肪族ジアミンからアミノ基を除いた２価の基である。）
　【化２２】
（式中、Ｂ２は芳香族ジアミンまたは脂肪族ジアミンからアミノ基を除いた２価の基である。）
　【化２３】
（式中、Ｂ３は芳香族ジアミンまたは脂肪族ジアミンからアミノ基を除いた２価の基である。）
　【化２４】
（式中、Ｂ３は芳香族ジアミンまたは脂肪族ジアミンからアミノ基を除いた２価の基である。）
　【請求項２７】
　
下記化学式（８）で表される繰り返し単位を少なくとも１種含み、化学式（８）で表される繰り返し単位の合計含有量が、全繰り返し単位に対して、５０モル％以上であるポリイミド、または下記化学式（１０）で表される繰り返し単位を少なくとも１種含み、化学式（１０）で表される繰り返し単位の合計含有量が、全繰り返し単位に対して、３０モル％以上であるポリイミド、または下記化学式（１２）及び下記化学式（１３）で表される繰り返し単位を少なくとも１種含み、化学式（１２）及び化学式（１３）で表される繰り返し単位の合計含有量が、全繰り返し単位に対して、８０モル％以上であるポリイミドであって、
　窒素気流中、昇温速度１０℃／分で２５℃から６００℃まで昇温したときの５％重量減少温度が、４９０℃以上であることを特徴とす
るポ
　【化２５】
（式中、Ｂ１は芳香族ジアミンまたは脂肪族ジアミンからアミノ基を除いた２価の基である。）
　【化２６】
（式中、Ｂ２は芳香族ジアミンまたは脂肪族ジアミンからアミノ基を除いた２価の基である。）
　【化２７】
（式中、Ｂ３は芳香族ジアミンまたは脂肪族ジアミンからアミノ基を除いた２価の基である。）
　【化２８】
（式中、Ｂ３は芳香族ジアミンまたは脂肪族ジアミンからアミノ基を除いた２価の基である。）
　【請求項２８】
　請求項１〜１６のいずれかに記載のポリイミド前駆体、又は請求項１７〜２４、２６、２７のいずれかに記載のポリイミドを含むワニス。
　【請求項２９】
　請求項１〜１６のいずれかに記載のポリイミド前駆体、又は請求項１７〜２４、２６、２７のいずれかに記載のポリイミドを含むワニスを用いて得られたポリイミドフィルム。
　【請求項３０】
　請求項１〜１６のいずれかに記載のポリイミド前駆体から得られるポリイミド、又は請求項１７〜２４、２６、２７のいずれかに記載のポリイミドによって形成されたことを特徴とするディスプレイ用、タッチパネル用、または太陽電池用の基板。